(57)【特許請求の範囲】
【請求項１】
ユーザ機器（ＵＥ）におけるワイヤレス通信の方法であって、
第１のセルの共通同期チャネル上で前記第１のセルから第１の同期信号を受信することと、ここにおいて、前記第１の同期信号が、前記第１の同期信号を受信することより前に前記ＵＥに知られている波形である、
前記第１の同期信号のシンボル時間を推定することと、
前記第１の同期信号の前記推定されたシンボル時間に基づいて、前記第１のセルの物理ブロードキャストチャネル（ＰＢＣＨ）シンボル時間を決定することと、
前記ＰＢＣＨシンボル時間に少なくとも部分的に基づいてＰＢＣＨ信号を受信することと、
前記受信されたＰＢＣＨ信号に基づいて前記第１のセルの物理レイヤ識別情報（ＩＤ）を決定することと
を備える、方法。
【請求項２】
前記ＰＢＣＨ信号に基づいて構成メッセージを識別することと
前記受信された構成メッセージに基づいて、ランダムアクセス信号を前記第１のセルに送信することと、
前記第１のセルへの第１の接続を確立することと、
第２のセルの共通同期チャネル上で前記第２のセルから第２の同期信号を受信することと、前記第２のセルが前記第１のセルとは異なり、ここにおいて、前記第１の同期信号と前記第２の同期信号とが同じ波形を使用する、
前記第２の同期信号に基づいて前記第２のセルへの第２の接続を確立することと、
前記構成メッセージによって指定されたチャネル構造に基づいて、前記第１のセルまたは前記第２のセルとデータを交換することと
をさらに備える、請求項１に記載の方法。
【請求項３】
前記第１のセルおよび前記第２のセルが、前記知られている波形を共有するセルのセットの要素であり、ここにおいて、セルの前記セットからの各セルが、セルの前記セットからの別のセルとの重複カバレージエリアを有する、請求項２に記載の方法。
【請求項４】
前記第１の同期信号のキャリア周波数を推定することと、
前記第１の同期信号の前記推定されたキャリア周波数と前記ＵＥの局部発振器によって生成されたローカルキャリア周波数とを比較することと、
前記比較に応じてアップリンクキャリア周波数を生成することと、
前記生成されたアップリンクキャリア周波数をもつアップリンク信号を送信することとをさらに備える、請求項１に記載の方法。
【請求項５】
前記ＰＢＣＨ信号が、ペイロードデータトラフィックを送信するための共有データトラフィックチャネルの時間および周波数リソース構成を指定する構成メッセージを備え、  前記方法が、前記ＵＥのＩＤと、前記共有データトラフィックチャネル上でのデータチャネル送信のための時間周波数リソースのインデックスとを指定する制御チャネル送信を受信することをさらに備える、
請求項１に記載の方法。
【請求項６】
前記共有データトラフィックチャネルの前記時間周波数リソース上で前記データチャネル送信を受信すること、または、
前記共有データトラフィックチャネルの前記時間周波数リソース上で前記データチャネル送信を送信すること
をさらに備える、請求項５に記載の方法。
【請求項７】
前記制御チャネル送信が、前記制御チャネル送信のタイミングと前記データチャネル送信のタイミングとの間の遅延を備え、
前記方法が、前記データチャネル送信の前記タイミングに基づいてスリープ起動タイマーを開始することと、
前記スリープ起動タイマーを開始することに少なくとも部分的に基づいて電力節約モードに入ることと、
前記スリープ起動タイマーの満了時に前記データチャネル送信を受信することとをさらに備える、請求項５に記載の方法。
【請求項８】
前記制御チャネル送信が、前記制御チャネル送信のタイミングと前記データチャネル送信のタイミングとの間の遅延を備え、
前記方法が、前記データチャネル送信の前記タイミングに基づいてスリープ起動タイマーを開始することと、
前記スリープ起動タイマーを開始することに少なくとも部分的に基づいて電力節約モードに入ることと、
前記スリープ起動タイマーの満了時に前記データチャネル送信を送信することとをさらに備える、請求項５に記載の方法。
【請求項９】
フレキシブルチャネル構造のフレキシブル時間および周波数タイリングパターンに従って構成されたセグメントをもつチャネルのセットを使用してデータを交換することをさらに備える、請求項１に記載の方法。
【請求項１０】
マシンタイプ通信プロシージャに基づいてネットワークとデータを交換すること
をさらに備える、請求項１に記載の方法。
【請求項１１】
ユーザ機器（ＵＥ）におけるワイヤレス通信のための装置であって、
第１のセルの共通同期チャネル上で前記第１のセルから第１の同期信号を受信するための手段と、ここにおいて、前記第１の同期信号が、前記第１の同期信号を受信することより前に前記ＵＥに知られている波形である、
前記第１の同期信号のシンボル時間を推定するための手段と、
前記第１の同期信号の前記推定されたシンボル時間に基づいて、前記第１のセルの物理ブロードキャストチャネル（ＰＢＣＨ）シンボル時間を決定するための手段と、
前記ＰＢＣＨシンボル時間に少なくとも部分的に基づいてＰＢＣＨ信号を受信するための手段と、
前記受信されたＰＢＣＨ信号に基づいて前記第１のセルの物理レイヤ識別情報（ＩＤ）を決定するための手段と
を備える、装置。
【請求項１２】
前記ＰＢＣＨ信号に基づいて構成メッセージを識別するための手段と、
前記受信された構成メッセージに基づいて、ランダムアクセス信号を前記第１のセルに送信するための手段と、
前記第１のセルへの第１の接続を確立するための手段と、
第２のセルの共通同期チャネル上で前記第２のセルから第２の同期信号を受信するための手段と、前記第２のセルが前記第１のセルとは異なり、ここにおいて、前記第１の同期信号と前記第２の同期信号とが同じ波形を使用する、
前記第２の同期信号に基づいて前記第２のセルへの第２の接続を確立するための手段と、
前記構成メッセージによって指定されたチャネル構造に基づいて、前記第１のセルまたは前記第２のセルとデータを交換するための手段と
をさらに備える、請求項１１に記載の装置。
【請求項１３】
前記第１の同期信号のキャリア周波数を推定するための手段と、
前記第１の同期信号の前記推定されたキャリア周波数と前記ＵＥの局部発振器によって生成されたローカルキャリア周波数とを比較するための手段と、
前記比較に応じてアップリンクキャリア周波数を生成するための手段と、
前記生成されたアップリンクキャリア周波数をもつアップリンク信号を送信するための手段と
をさらに備える、請求項１１に記載の装置。
【請求項１４】
前記ＰＢＣＨ信号が、ペイロードデータトラフィックを送信するための共有データトラフィックチャネルの時間および周波数リソース構成を指定する構成メッセージを備え、  前記装置が、前記ＵＥのＩＤと、前記共有データトラフィックチャネル上でのデータチャネル送信のための時間周波数リソースのインデックスとを指定する制御チャネル送信を受信するための手段をさらに備える、
請求項１１に記載の装置。
【請求項１５】
ユーザ機器（ＵＥ）におけるワイヤレス通信のためのコードを記憶する非一時的コンピュータ可読媒体であって、前記コードは、
請求項１乃至７のいずれかにしたがった方法を行うために実行可能な命令を備える、非一時的コンピュータ可読媒体。
【発明の詳細な説明】
【技術分野】
【０００１】
相互参照
[0001]本特許出願は、本出願の譲受人に譲渡され、２０１４年１０月１０日に出願された「Channel Structure for a Cellular Internet of Things System」と題する、Ｌｉらによる米国特許出願第１４／５１１，１７３号の優先権を主張する。
【０００２】
[0002]以下は、一般にワイヤレス通信に関し、より詳細には、セルラーモノのインターネット（ＩｏＴ：internet of things）システムのためのチャネル構造に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および出力（power））を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。
【０００４】
[0004]例として、ワイヤレス多元接続通信システムは、場合によってはユーザ機器（ＵＥ）として知られていることがある、複数の通信デバイスのための通信を各々が同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。
【０００５】
[0005]いくつかのＵＥは、自動通信を提供し得る。自動ＵＥは、マシンツーマシン（Ｍ２Ｍ）通信またはマシンタイプ通信（ＭＴＣ）を実装するものを含み得る。Ｍ２ＭまたはＭＴＣは、デバイスが人の介入なしに互いにまたは基地局と通信することを可能にするデータ通信技術を指すことがある。Ｍ２ＭまたはＭＴＣデバイスは、ＵＥを含み得、モノのインターネット（ＩｏＴ）の一部として使用され得る。ＩｏＴ中のいくつかのＭ２ＭまたはＭＴＣデバイスは、パーキングメーター、水およびガスメーター、ならびに少量のデータをまれに通信し得る他のセンサーを含み得る。
【０００６】
[0006]場合によっては、ＵＥは、ＩｏＴ中に含み、低スループットまたは低頻度データ転送のために設計された電力制限デバイスであり得る。場合によっては、ＵＥは、同時に送信および受信するように構成されないことがある。大バッテリー容量および高スループットをもつデバイスをサービスするように設計されたワイヤレスシステムは、そのようなデバイスに適していないことがある。同様に、同時アップリンクおよびダウンリンク通信に基づくワイヤレスシステムは、これらのデバイスがネットワークを介して効果的に通信するのを妨げ得る。しかしながら、基地局などのネットワーク構成要素を再構築することには、法外なコストがかかることがある。
【発明の概要】
【０００７】
[0007]本開示は、一般にワイヤレス通信システムに関し、より詳細には、セルラーＩｏＴシステムのためのチャネル構造のための改善されたシステム、方法、および装置に関し得る。ＵＥは、あらかじめＵＥに知られており、ローカル領域中のセルのグループに共通の波形を使用して、セルと同期し得る。ＵＥは、次いで、物理ブロードキャストチャネル（ＰＢＣＨ）時間を決定し得る。ＵＥは、ＰＢＣＨを受信し、セルのための物理レイヤ識別情報（physical layer identification）（ＩＤ）とアップリンク送信のための周波数とを決定するためにそれを使用し得る。ＰＢＣＨはまた、ＵＥがランダムアクセスプロシージャを実行することを可能にし得るチャネル構成を示し得る。チャネル構成は、共有トラフィックチャネルの時間および周波数リソース構成を含み得る。場合によっては、ＵＥは、制御チャネル送信のインデックスに基づいて、データ送信のためのリソースを決定し得る。場合によっては、制御チャネル送信とデータチャネル送信との間の所定の遅延があり得る。その場合、ＵＥは遅延中に低電力状態に入り得る。
【０００８】
[0008]ＵＥにおけるワイヤレス通信の方法について説明する。本方法は、第１のセルの共通同期チャネル上で第１のセルから第１の同期信号を受信することと、ここにおいて、第１の同期信号が、信号を受信することより前にＵＥに知られている波形である、第１の同期信号のシンボル時間を推定することと、第１の同期信号の推定されたシンボル時間に基づいて、第１のセルのＰＢＣＨシンボル時間を決定することと、ＰＢＣＨシンボル時間に少なくとも部分的に基づいてＰＢＣＨ信号を受信することと、受信されたＰＢＣＨ信号に基づいて第１のセルの物理レイヤＩＤを決定することとを含み得る。
【０００９】
[0009]ＵＥにおけるワイヤレス通信のための装置について説明する。本装置は、第１のセルの共通同期チャネル上で第１のセルから第１の同期信号を受信するための手段と、ここにおいて、第１の同期信号が、信号を受信することより前にＵＥに知られている波形である、第１の同期信号のシンボル時間を推定するための手段と、第１の同期信号の推定されたシンボル時間に基づいて、第１のセルのＰＢＣＨシンボル時間を決定するための手段と、ＰＢＣＨシンボル時間に少なくとも部分的に基づいてＰＢＣＨ信号を受信するための手段と、受信されたＰＢＣＨ信号に基づいて第１のセルの物理レイヤＩＤを決定するための手段とを含み得る。
【００１０】
[0010]ＵＥにおけるワイヤレス通信のためのさらなる装置について説明する。本装置は、プロセッサと、プロセッサと電子通信しているメモリと、メモリに記憶された命令とを含み得、ここにおいて、命令は、第１のセルの共通同期チャネル上で第１のセルから第１の同期信号を受信することと、ここにおいて、第１の同期信号が、信号を受信することより前にＵＥに知られている波形である、第１の同期信号のシンボル時間を推定することと、第１の同期信号の推定されたシンボル時間に基づいて、第１のセルのＰＢＣＨシンボル時間を決定することと、ＰＢＣＨシンボル時間に少なくとも部分的に基づいてＰＢＣＨ信号を受信することと、受信されたＰＢＣＨ信号に基づいて第１のセルの物理レイヤＩＤを決定することとを行うためにプロセッサによって実行可能である。
【００１１】
[0011]ＵＥにおけるワイヤレス通信のためのコードを記憶する非一時的コンピュータ可読媒体について説明する。コードは、第１のセルの共通同期チャネル上で第１のセルから第１の同期信号を受信することと、ここにおいて、第１の同期信号が、信号を受信することより前にＵＥに知られている波形である、第１の同期信号のシンボル時間を推定することと、第１の同期信号の推定されたシンボル時間に基づいて、第１のセルのＰＢＣＨシンボル時間を決定することと、ＰＢＣＨシンボル時間に少なくとも部分的に基づいてＰＢＣＨ信号を受信することと、受信されたＰＢＣＨ信号に基づいて第１のセルの物理レイヤＩＤを決定することとを行うために実行可能な命令を含み得る。
【００１２】
[0012]上記で説明した方法、装置、および／または非一時的コンピュータ可読媒体のいくつかの例は、ＰＢＣＨ信号に基づいて構成メッセージを識別することと、受信された構成メッセージに基づいて、ランダムアクセス信号を第１のセルに送信することと、第１のセルへの第１の接続を確立することと、第２のセルの共通同期チャネル上で第２のセルから第２の同期信号を受信することと、第２のセルが第１のセルとは異なり、ここにおいて、第１の同期信号と第２の同期信号とが同じ波形を使用する、第２の同期信号に基づいて第２のセルへの第２の接続を確立することと、構成メッセージによって指定されたチャネル構造に基づいて、第１のセルまたは第２のセルとデータを交換することとをさらに含み得る。追加または代替として、いくつかの例では、第１のセルおよび第２のセルが、知られている波形を共有するセルのセットの要素であり、ここにおいて、セルのセットからの各セルが、セルのセットからの別のセルとの重複カバレージエリアを有する。
【００１３】
[0013]上記で説明した方法、装置、および／または非一時的コンピュータ可読媒体のいくつかの例は、第１の同期信号のキャリア周波数を推定することと、第１の同期信号の推定されたキャリア周波数とＵＥの局部発振器によって生成されたローカルキャリア周波数とを比較することと、比較に応じてアップリンクキャリア周波数を生成することと、生成されたアップリンクキャリア周波数をもつアップリンク信号を送信することとをさらに含み得る。追加または代替として、いくつかの例では、ＰＢＣＨ信号が、ペイロードデータトラフィックを送信するための共有データトラフィックチャネルの時間および周波数リソース構成を指定する構成メッセージと、ＵＥのＩＤと共有データトラフィックチャネル上でのデータチャネル送信のための時間周波数リソースのインデックスとを指定する制御チャネル送信を受信することとを備える。
【００１４】
[0014]上記で説明した方法、装置、および／または非一時的コンピュータ可読媒体のいくつかの例は、共有データトラフィックチャネルの時間周波数リソース上でデータチャネル送信を受信することをさらに含み得る。追加または代替として、いくつかの例は、共有データトラフィックチャネルの時間周波数リソース上でデータチャネル送信を送信することを含み得る。
【００１５】
[0015]上記で説明した方法、装置、および／または非一時的コンピュータ可読媒体のいくつかの例では、制御チャネル送信の送信電力がデータチャネル送信の送信電力に比例する。追加または代替として、いくつかの例では、制御チャネル送信の送信電力がＵＥの経路損失に基づく。
【００１６】
[0016]上記で説明した方法、装置、および／または非一時的コンピュータ可読媒体のいくつかの例では、制御チャネル送信が、制御チャネル送信のタイミングとデータチャネル送信のタイミングとの間の遅延と、データチャネル送信のタイミングに基づいてスリープ起動タイマーを開始することと、スリープ起動タイマーを開始することに少なくとも部分的に基づいて電力節約モードに入ることと、スリープ起動タイマーの満了時にデータチャネル送信を受信することとを備える。追加または代替として、いくつかの例では、制御チャネル送信が、制御チャネル送信のタイミングとデータチャネル送信のタイミングとの間の遅延と、データチャネル送信のタイミングに基づいてスリープ起動タイマーを開始することと、スリープ起動タイマーを開始することに少なくとも部分的に基づいて電力節約モードに入ることと、スリープ起動タイマーの満了時にデータチャネル送信を送信することとを備える。
【００１７】
[0017]上記で説明した方法、装置、および／または非一時的コンピュータ可読媒体のいくつかの例は、フレキシブルチャネル構造のフレキシブル時間および周波数タイリングパターンに従って構成されたセグメントをもつチャネルのセットを使用してデータを交換することをさらに含み得る。追加または代替として、いくつかの例では、フレキシブルチャネル構造が、所定のテーブルに基づく共有チャネルタイリングパターンの構成を備え、構成が、ＰＢＣＨ信号中で送信された構成メッセージによって指定される。
【００１８】
[0018]上記で説明した方法、装置、および／または非一時的コンピュータ可読媒体のいくつかの例では、時間周波数リソースのインデックスが所定のテーブルのインデックスを示す。追加または代替として、いくつかの例では、ＰＢＣＨ信号の長さが、ＰＢＣＨ信号を受信することより前に固定され、ＵＥに知られている。
【００１９】
[0019]上記で説明した方法、装置、および／または非一時的コンピュータ可読媒体のいくつかの例は、マシンタイプ通信（ＭＴＣ）プロシージャに基づいてネットワークとデータを交換することをさらに含み得る。
【００２０】
[0020]上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲から逸脱しない。本明細書で開示する概念の特徴、それらの編成と動作方法の両方は、関連する利点とともに、添付の図に関連して以下の説明を検討するとより良く理解されよう。図の各々は、例示および説明のみの目的で提供され、特許請求の範囲の限界を定めるものではない。
【００２１】
[0021]本開示の性質および利点のさらなる理解は、以下の図面を参照して実現され得る。添付の図では、同様の構成要素または特徴は、同一の参照符号を有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００２２】
【図１】[0022]本開示の様々な態様による、セルラーＩｏＴシステムのためのチャネル構造のためのワイヤレス通信システムの一例を示す図。
【図２】[0023]本開示の様々な態様による、セルラーＩｏＴシステムのためのチャネル構造のためのワイヤレス通信サブシステムの一例を示す図。
【図３Ａ】[0024]本開示の様々な態様による、セルラーＩｏＴシステムのためのチャネル構造のためのダウンリンクチャネル多重化構成の一例を示す図。
【図３Ｂ】[0025]本開示の様々な態様による、セルラーＩｏＴシステムのためのチャネル構造のためのアップリンクチャネル多重化構成の一例を示す図。
【図４】[0026]本開示の様々な態様による、セルラーＩｏＴシステムのためのチャネル構造のための時間および周波数多重化セグメントをもつ物理共有チャネルの一例を示す図。
【図５】[0027]本開示の様々な態様による、セルラーＩｏＴシステムのためのチャネル構造のためのダウンリンクチャネルセグメント構成の一例を示す図。
【図６】[0028]本開示の様々な態様による、セルラーＩｏＴシステムのためのチャネル構造のためのセル収集のためのプロセスフロー図の一例を示す図。
【図７】[0029]本開示の様々な態様による、セルラーＩｏＴシステムのためのチャネル構造のために構成されたユーザ機器（ＵＥ）のブロック図。
【図８】[0030]本開示の様々な態様による、セルラーＩｏＴシステムのためのチャネル構造のために構成されたＵＥのブロック図。
【図９】[0031]本開示の様々な態様による、セルラーＩｏＴシステムのためのチャネル構造のために構成された通信管理モジュールのブロック図。
【図１０】[0032]本開示の様々な態様による、セルラーＩｏＴシステムのためのチャネル構造のために構成されたＵＥを含むシステムのブロック図。
【図１１】[0033]本開示の様々な態様による、セルラーＩｏＴシステムのためのチャネル構造のための方法を示すフローチャート。
【図１２】[0034]本開示の様々な態様による、セルラーＩｏＴシステムのためのチャネル構造のための方法を示すフローチャート。
【図１３】[0035]本開示の様々な態様による、セルラーＩｏＴシステムのためのチャネル構造のための方法を示すフローチャート。
【図１４】[0036]本開示の様々な態様による、セルラーＩｏＴシステムのためのチャネル構造のための方法を示すフローチャート。
【図１５】[0037]本開示の様々な態様による、セルラーＩｏＴシステムのためのチャネル構造のための方法を示すフローチャート。
【図１６】[0038]本開示の様々な態様による、セルラーＩｏＴシステムのためのチャネル構造のための方法を示すフローチャート。
【発明を実施するための形態】
【００２３】
[0039]ワイヤレス通信する自動デバイスのネットワークは、場合によっては、モノのインターネット（ＩｏＴ）と呼ばれることがある。ＩｏＴネットワークを介して通信するデバイス（たとえば、マシンタイプ通信（ＭＴＣ）デバイス）は、自動メーター、センサーなどを含み得る。いくつかの事例では、自動デバイスは、比較的低いスループットの適用例（たとえば、更新を基地局に送る水位センサー）を有し得る。認可スペクトルにおいて動作するセルラーシステムを含む、自動デバイスによる使用のために利用可能ないくつかのワイヤレス通信システムがあり得る。しかしながら、セルラーシステムは、高スループット適用例を使用するデバイスのために使用され得る。低スループット状態（たとえば、まれな小規模データ転送）に従って動作するデバイスは、より高いスループットのデバイスに関連するものとは異なる設計考慮事項（design considerations）を提示し得る。たとえば、自動デバイスは、バッテリー交換なしに長い時間期間の間動作するように設計され得る。
【００２４】
[0040]ＬＴＥなどのいくつかのセルラーシステムでは、明確なチャネル構造があり得るが、それは、ＩｏＴデバイスにとって電力効率的でないことがある。したがって、ＩｏＴ設計考慮事項を補うチャネル構造に従って動作することが、ＩｏＴデバイスにとって適切であり得る。たとえば、チャネル構造は、あらゆるフレームにおいて、物理共通同期チャネル（ＰＣＳＣＨ：physical common synchronization channel）および物理ブロードキャストチャネル（ＰＢＣＨ）のための固定の長さを有し得る。また、初期収集中、ＰＣＳＣＨ送信は、ローカルグループ中のすべてのセルについて同じである知られている波形であり得る。さらに、ＰＢＣＨ、物理ダウンリンク制御チャネル（ＰＤＣＣＨ）、物理ダウンリンク共有チャネル（ＰＤＳＣＨ）、および物理アップリンク共有チャネル（ＰＵＳＣＨ）は、分離され得る。場合によっては、ＰＤＳＣＨ／ＰＵＳＣＨは、フレキシブル時間／周波数タイリングを使用し得る。たとえば、ＰＤＳＣＨ／ＰＵＳＣＨセグメントは、時間／周波数様式で構成されたセグメントを用いて異なる時間に送られ得る。いくつかの実施形態では、すべてのサポートされるタイリングＰＤＳＣＨ／ＰＵＳＣＨパターンの構成は、所定のテーブルによって与えられ得る。
【００２５】
[0041]チャネル構成は動的に更新され得、いくつかの事例では、ＰＢＣＨは、フレームごとにチャネル構成の変更を示し得る。たとえば、ＰＢＣＨは、物理ランダムアクセスチャネル（ＰＲＡＣＨ）、ＰＤＣＣＨ、およびＰＤＳＣＨ／ＰＵＳＣＨの時間／周波数構成を指定する情報を備え得る。ＰＢＣＨはまた、現在のＰＤＳＣＨ／ＰＵＳＣＨ構成のインデックスを搬送し得る。したがって、ＰＢＣＨによって搬送された情報は、ＰＤＳＣＨセグメントの時間／周波数構成をデバイスに示し、それにより、デバイスがＰＤＣＣＨを復号することを可能にし得る。したがって、ＰＤＣＣＨは、ＰＤＳＣＨ／ＰＵＳＣＨセグメントのインデックスと割り当てられた自動デバイスのＩＤとを指定し得る。デバイスはフレームの始めに起動し、制御メッセージを復号し、次いで、それのＰＤＳＣＨまたはＰＵＳＣＨが割り当てられるとき、アクティブになり得る。
【００２６】
[0042]場合によっては、基地局は、アクティブなデバイスをスリープにさせるためのアクティビティタイムアウト機構を実装し得る。場合によっては、デバイスは、割り当てられたＰＵＳＣＨセグメント中で、トラフィックとともに、終了メッセージを送り得る。場合によっては、ＤＬおよびＵＬスケジューリングは、デバイスが、周波数分割複信（ＦＤＤ：frequency division duplex）半二重動作をサポートするために同時に送信および受信するようにスケジュールされないように、協調させられ得る。
【００２７】
[0043]いくつかの例では、異なるＰＤＣＣＨおよびＰＤＳＣＨセグメントは、異なる送信電力を使用し得る。たとえば、ＰＤＣＣＨの送信電力はＰＤＳＣＨの送信電力に比例してスケーリングされ得る（たとえば、ＰＤＣＣＨとＰＤＳＣＨの両方において、近いデバイスよりも遠いデバイスにより多くの電力が割り振られ（allocated）得る）。
【００２８】
[0044]他の場合には、ＩｏＴデバイスと基地局との間の通信は、送信シンボル時間を決定するために開ループタイミング同期を使用することによって改善され得る。その結果、ＩｏＴネットワークにおいて同じ基地局と通信する異なるＩｏＴデバイスからのアップリンク信号は、時間ウィンドウ内に到着し得、時間ウィンドウの長さは、最高で、ＩｏＴデバイスと基地局との間の最大ラウンドトリップ遅延であり得る。これを考慮するために、ＩｏＴデバイスによってアップリンク送信において使用されるサイクリックプレフィックスの長さは拡張され得、ＩｏＴデバイスへのダウンリンク送信において使用されるサイクリックプレフィックスの長さは、拡張されたアップリンクサイクリックプレフィックスよりも短いままであり得る。
【００２９】
[0045]いくつかの例では、デバイスは、ダウンリンクメッセージを復調するための直交周波数分割多元接続（ＯＦＤＭＡ）と、アップリンク変調のためのガウシアン最小シフトキーイング（ＧＭＳＫ：Gaussian minimum shift keying）とシングルキャリア周波数分割多元接続（ＳＣ−ＦＤＭＡ）との組合せとを利用し得る。アップリンク変調プロセスは、Ｍ点離散フーリエ変換（ＤＦＴ）を用いてシンボルベクトルを生成することと、周波数領域ガウシアンフィルタを用いてシンボルベクトルをフィルタ処理することと、逆ＤＦＴを利用してフィルタ処理されたシンボルベクトルからサンプルベクトルを生成することと、ＧＭＳＫを利用してサンプルベクトルを変調することとを含み得る。場合によっては、アップリンク変調は、基地局から受信された狭帯域リソース割振りに基づき得る。
【００３０】
[0046]別の例では、基地局は、デバイスに、物理ランダムアクセスチャネル（ＰＲＡＣＨ）信号を送信するための時間または周波数リソースを割り振り得る。そのような事例では、リソース割振りは、ＰＲＡＣＨ信号のタイプおよびクラスに基づいて配分され得る。たとえば、ＵＥは、定期的にスケジュールされたトラフィックを送信するためにリソースの第１のサブセットを割り当てられ、オンデマンドトラフィックを送信するためにリソースの第２のサブセットを割り当てられ得る。定期的にスケジュールされたトラフィックは、たとえば、所定の時間間隔（たとえば、２４時間間隔）で基地局に報告されるセンサー測定値を含み得る。対照的に、オンデマンドトラフィックは、少なくとも１つの報告トリガの検出（たとえば、デバイスにおいて異常を検知すること）に基づいて開始される、即席の送信を含み得る。
【００３１】
[0047]いくつかの例では、デバイスは、サービングセルとの接続を確立するために初期アクセスプロシージャを実行し得る。デバイスは、次いで、間欠送信（ＤＴＸ）サイクルと肯定応答スケジュールとを含むサービングセルとの定期送信スケジュールを構成し得る。デバイスは、低電力モードに入り、ＤＴＸサイクルのスリープ間隔中に任意の送信を控え得る。デバイスは、次いで、起動し、別のアクセスプロシージャを実行することなしに、スリープ間隔の後にメッセージをサービングセルに送信し得る。デバイスは、定期送信スケジュールによってカバーされない時間において送信するために別のアクセスプロシージャを実行し得る。たとえば、メッセージのための肯定応答（ＡＣＫ）が受信されない場合、デバイスは再送信のための別のアクセスプロシージャを実行し得る。
【００３２】
[0048]また別の例では、ＩｏＴデバイスは、後続の第２の通信セッションのための電力およびタイミング制御情報を決定するために、基地局との第１の通信セッションからの記憶された制御情報を使用し得る。詳細には、この例では、デバイスは、基地局との第１の通信セッションを確立し、第１の通信セッション中に、デバイスがアップリンク送信に関連する送信信号シンボルタイミングまたは電力制御レベルを調整するのを助けるために、基地局から閉ループ制御情報を受信し得る。そのような事例では、デバイスは、それのメモリに、第１の通信セッション中に閉ループ制御情報から導出された送信電力およびシンボルタイミング情報を記憶し得る。その後、デバイスは、基地局との第２の通信セッションを確立するために送信信号電力またはシンボルタイミングを決定するために、第１の通信セッションからの記憶された閉ループ制御情報を利用し得る。
【００３３】
[0049]以下の説明は、例を与えるものであり、特許請求の範囲に記載された範囲、適用可能性、または例を限定するものではない。本開示の範囲から逸脱することなく、説明する要素の機能および構成において変更が行われ得る。様々な例は、適宜に様々なプロシージャまたは構成要素を省略、置換、または追加し得る。たとえば、説明する方法は、説明する順序とは異なる順序で実行され得、様々なステップが追加、省略、または組み合わせられ得る。また、いくつかの例に関して説明する特徴は、他の例において組み合わせられ得る。
【００３４】
[0050]図１に、本開示の様々な態様による、ワイヤレス通信システム１００の一例を示す。システム１００は、基地局１０５と、少なくとも１つのＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースする。基地局１０５は、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して、直接的または間接的のいずれかで（たとえば、コアネットワーク１３０を通して）、互いと通信し得る。
【００３５】
[0051]基地局１０５は、１つまたは複数の基地局アンテナを介してＵＥ１１５とワイヤレス通信し得る。基地局１０５の各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局および／またはスモールセル基地局）を含み得る。異なる技術のための重複する地理的カバレージエリア１１０があり得る
[0052]いくつかの例では、ワイヤレス通信システム１００はロングタームエボリューション（ＬＴＥ）／ＬＴＥアドバンスト（ＬＴＥ−Ａ）ネットワークである。ＬＴＥ／ＬＴＥ−Ａネットワークでは、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、および／または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００３６】
[0053]マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、マクロセルと比較して、同じまたは異なる（たとえば、認可、無認可などの）周波数帯域内でマクロセルとして動作し得る低電力基地局である。スモールセルは、様々な例によれば、ピコセルとフェムトセルとマイクロセルとを含み得る。ピコセルは、たとえば、小さい地理的エリアをカバーし得、ネットワークプロバイダのサービスに加入しているＵＥ１１５による無制限アクセスを可能にし得る。また、フェムトセルは、小さい地理的エリア（たとえば、自宅）をもカバーし得、フェムトセルとの関連を有するＵＥ１１５（たとえば、限定加入者グループ（ＣＳＧ：closed subscriber group）中のＵＥ１１５、自宅内のユーザのためのＵＥ１１５など）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００３７】
[0054]ワイヤレス通信システム１００は、同期動作または非同期動作をサポートし得る。同期動作の場合、基地局１０５は同様のフレームタイミングを有し得、異なる基地局１０５からの送信は近似的に時間的に整合され得る。非同期動作の場合、基地局１０５は異なるフレームタイミングを有し得、異なる基地局１０５からの送信は時間的に整合されないことがある。本明細書で説明する技法は、同期動作または非同期動作のいずれかのために使用され得る。
【００３８】
[0055]様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：packet data convergence protocol）レイヤにおける通信はＩＰベースであり得る。無線リンク制御（ＲＬＣ：radio link control）レイヤが、論理チャネルを介して通信するためにパケットセグメンテーションおよびリアセンブリを実行し得る。媒体アクセス制御（ＭＡＣ：medium access control）レイヤが、優先度処理と、トランスポートチャネルへの論理チャネルの多重化とを実行し得る。ＭＡＣレイヤはまた、リンク効率を改善するためにＭＡＣレイヤにおいて再送信を行うためにハイブリッド自動再送要求（ＨＡＲＱ：hybrid automatic repeat request）を使用し得る。制御プレーンでは、無線リソース制御（ＲＲＣ）プロトコルレイヤは、ＵＥ１１５と基地局１０５との間のＲＲＣ接続の確立と構成と保守とを行い得る。ＲＲＣプロトコルレイヤはまた、ユーザプレーンデータのための無線ベアラのコアネットワーク１３０サポートのために使用され得る。物理（ＰＨＹ）レイヤにおいて、トランスポートチャネルは物理チャネルにマッピングされ得る。
【００３９】
[0056]ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいは当業者によってそのような用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む様々なタイプの基地局およびネットワーク機器と通信することが可能であり得る。
【００４０】
[0057]ワイヤレス通信システム１００では、いくつかのＵＥは、自動通信を提供し得る。自動ワイヤレスデバイスは、マシンツーマシン（Ｍ２Ｍ）通信またはマシンタイプ通信（ＭＴＣ）を実装するものを含み得る。Ｍ２Ｍおよび／またはＭＴＣは、デバイスが人の介入なしに互いにまたは基地局と通信することを可能にするデータ通信技術を指すことがある。たとえば、Ｍ２Ｍおよび／またはＭＴＣは、センサーまたはメーターを組み込んで情報を測定またはキャプチャし、情報を活用することができる中央サーバまたはアプリケーションプログラムにその情報を中継する、あるいはプログラムまたはアプリケーションと対話する人間に情報を提示するデバイスからの通信を指すことがある。いくつかのＵＥ１１５は、情報を収集する、または機械の自動化された挙動を可能にするように設計されたものなど、ＭＴＣデバイスであり得る。ＭＴＣデバイスのための適用の例としては、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金がある。ＭＴＣデバイスは、低減されたピークレートにおいて半二重（一方向）通信を使用して動作し得る。ＭＴＣデバイスはまた、アクティブ通信に参加しているとき、電力節約「ディープスリープ」モードに入るように構成され得る。Ｍ２ＭまたはＭＴＣデバイスである、ワイヤレス通信システム１００におけるＵＥ１１５はまた、ＩｏＴの一部であり得る。したがって、ワイヤレス通信システム１００はまた、ＩｏＴシステムを含むか、またはその一部であり得る。
【００４１】
[0058]ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明した様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、周波数分割複信（ＦＤＤ）動作を使用して（たとえば、対スペクトルリソースを使用して）または時分割複信（ＴＤＤ：time division duplex）動作を使用して（たとえば、不対スペクトルリソースを使用して）双方向通信を送信し得る。ＦＤＤ（たとえば、フレーム構造タイプ１）およびＴＤＤ（たとえば、フレーム構造タイプ２）のためのフレーム構造が定義され得る。
【００４２】
[0059]システム１００のいくつかの実施形態では、基地局１０５および／またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を採用し得る。
【００４３】
[0060]ワイヤレス通信システム１００は、複数のセルまたはキャリア上での動作、すなわち、キャリアアグリゲーション（ＣＡ）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのための、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００４４】
[0061]ワイヤレスネットワークにアクセスすることを試みるＵＥ１１５は、基地局１０５からの１次同期信号（ＰＳＳ）を検出することによって、初期セル探索を実行し得る。ＰＳＳは、スロットタイミングの同期を可能にし得、物理レイヤ識別情報値（physical layer identity value）を示し得る。次いで、ＵＥ１１５は、２次同期信号（ＳＳＳ）を受信し得る。ＳＳＳは、無線フレーム同期を可能にし得、セルを識別するための物理レイヤ識別情報値と組み合わせられ得る、セル識別情報値を与え得る。ＳＳＳはまた、複信モードおよびサイクリックプレフィックス長の検出を可能にし得る。ＰＳＳとＳＳＳの両方が、キャリアの中心の６つのリソースブロック（ＲＢ）（７２個のサブキャリア）中にあり得る。ＰＳＳとＳＳＳとを受信した後に、ＵＥ１１５は、ＰＢＣＨ中で送信され得る、マスタ情報ブロック（ＭＩＢ）を受信し得る。ＭＩＢは、システム帯域幅情報と、システムフレーム番号（ＳＦＮ）と、物理ＨＡＲＱインジケータチャネル（ＰＨＩＣＨ）構成とを含んでいることがある。ＭＩＢを復号した後に、ＵＥ１１５は、１つまたは複数のシステム情報ブロック（ＳＩＢ）を受信し得る。たとえば、ＳＩＢ１は、セルアクセスパラメータと他のＳＩＢのためのスケジューリング情報とを含んでいることがある。ＳＩＢ１を復号することは、ＵＥ１１５がＳＩＢ２を受信することを可能にし得る。ＳＩＢ２は、ランダムアクセスチャネル（ＲＡＣＨ）プロシージャと、ページングと、ＰＵＣＣＨと、ＰＵＳＣＨと、電力制御と、ＳＲＳと、セル禁止とに関係するＲＲＣ構成情報を含んでいることがある。
【００４５】
[0062]本開示によれば、ＵＥ１１５は、あらかじめＵＥ１１５に知られており、ローカル領域中の基地局１０５のグループに共通の波形を使用して、基地局１０５のセルと同期し得る。ＵＥ１１５は、次いで、ＰＢＣＨ時間を決定し得、ＰＢＣＨを受信し、セルのための物理レイヤＩＤとアップリンク送信のための周波数とを決定するためにそれを使用し得る。ＰＢＣＨはまた、ＵＥ１１５がＲＡＣＨプロシージャを実行することを可能にし得るチャネル構成を示し得る。チャネル構成は、共有トラフィックチャネル（たとえば、ＰＤＳＣＨまたはＰＵＳＣＨ）の時間および周波数リソース構成を含み得る。場合によっては、ＵＥ１１５は、制御チャネル送信のインデックスに基づいて、データ送信のためのリソースを識別し得る。場合によっては、制御チャネル送信とデータチャネル送信との間の所定の遅延があり得る。ＵＥ１１５は、次いで、データを送信または受信するようにスケジュールされないとき、低電力状態に入り得る。
【００４６】
[0063]図２に、本開示の様々な態様による、セルラーＩｏＴシステムのためのチャネル構造のためのワイヤレス通信サブシステム２００の一例を示す。ワイヤレス通信サブシステム２００は、図１を参照しながら上記で説明したＵＥ１１５の一例であり得る、ＵＥ１１５−ａを含み得る。ワイヤレス通信サブシステム２００は、図１を参照しながら上記で説明した基地局１０５の例であり得る、基地局１０５−ａ、１０５−ｂ、および１０５−ｃをも含み得る。基地局１０５−ａ、１０５−ｂ、および１０５−ｃは、それぞれ、カバレージエリア１１０−ａ、１１０−ｂ、および１１０−ｃを有し得、それらのカバレージエリアは重複し得、図１を参照しながら説明したカバレージエリア１１０の例であり得る。基地局１０５−ａ、１０５−ｂおよび１０５−ｃはそれぞれ、共通同期チャネルを利用するセルのローカルグループの一部であり得る。
【００４７】
[0064]ＵＥ１１５−ａは、図１において上記で説明したように、アップリンクおよびダウンリンクを介して基地局１０５−ａと通信し得る。基地局１０５−ａおよび１０５−ｂとの接続を確立するために、ＵＥ１１５−ａは、知られている波形が使用される初期アクセスプロシージャを実行し得る。たとえば、基地局１０５−ａの初期収集のために使用される知られている波形２０５−ａは、基地局１０５−ｂへの後続の接続のために使用される知られている波形２０５−ｂと同じであり得る。基地局１０５−ｃに関連する１つまたは複数のセルおよびローカルグループ中の他のセルはまた、同じ知られている波形を利用し得る。いくつかの例では、知られている波形２０５−ａおよび２０５−ｂは、物理共通同期チャネル（ＰＣＳＣＨ）上で送信され得る。いくつかの例では、ＰＢＣＨはまた、知られている波形を利用し得、ＰＣＳＣＨは異なる知られている波形２０５であり得る。知られている波形２０５は、重複カバレージエリア１１０をもつ任意の基地局１０５のための、またはローカル領域中のセルのグループに共通であるが重複カバレージエリア１１０がない任意の基地局のための、初期アクセスのために使用され得る。
【００４８】
[0065]いくつかの例では、知られている波形は、ＰＢＣＨタイミングなどのシステム情報を搬送し得る。ＵＥ１１５−ａは、ＰＢＣＨに同期するためにシステム情報を利用し、したがってＰＢＣＨによって搬送される情報（たとえば、ＭＩＢ）にアクセスし得る。たとえば、ＰＢＣＨは、ネットワーク構成、アクセス制御、およびチャネル構成などの情報を搬送し得る。場合によっては、ＰＢＣＨは、ＰＲＡＣＨ、ＰＤＣＣＨ、およびＰＤＳＣＨ／ＰＵＳＣＨの時間／周波数情報を搬送し得る。たとえば、ＰＢＣＨは、新しいＵＥ１１５がどこにアクセスすべきかを決定し得るように、ＰＲＡＣＨの構成を示し得る。ＰＢＣＨは、アクティブＵＥ１１５が制御情報をどのように復号すべきかを決定し得るように、ＰＤＣＣＨの構成を示し得る。ＰＢＣＨはまた、アクティブＵＥがどのようにデータトラフィックを受信および／または送信すべきかを決定し得るように、ＰＤＳＣＨ／ＰＵＳＣＨの構成を示し得る。
【００４９】
[0066]したがって、ＵＥ１１５−ａは、あらかじめＵＥ１１５−ａに知られており、ローカル領域中のセル（たとえば、基地局１０５−ａ、１０５−ｂ、１０５−ｃに関連するセル）のグループに共通の波形２０５−ａ（または２０５−ｂ）を使用して、セルと同期し得る。いくつかの例では、ＰＣＳＣＨおよびＰＢＣＨは、異なる知られている波形を利用し得る。ＵＥ１１５−ａは、知られている同期波形２０５−ａによって搬送される情報からＰＢＣＨ時間を決定し得る。ＵＥ１１５−ａは、次いで、ＰＢＣＨを受信し、セルのための物理レイヤＩＤとアップリンク送信のための周波数とを決定するためにそれを使用し得る。ＰＢＣＨはまた、ＵＥ１１５−ａがＲＡＣＨを実行することを可能にし得るチャネル構成を示し得る。チャネル構成は、共有トラフィックチャネルの時間および周波数リソース構成を含み得る。場合によっては、ＵＥ１１５−ａは、制御チャネル送信のインデックスに基づいて、データ送信のためのリソースを決定し得る。場合によっては、制御チャネル送信とデータチャネル送信との間の所定の遅延があり得る。そのような事例では、ＵＥ１１５−ａは、次いで、遅延中に低電力状態に入り得る。
【００５０】
[0067]図３Ａに、本開示の様々な態様による、セルラーＩｏＴシステムのためのチャネル構造のためのダウンリンクチャネル多重化構成３０１の一例を示す。ダウンリンクチャネル多重化構成３０１は、図１または図２を参照しながら上記で説明したように、ＵＥ１１５と通信するために基地局１０５によって使用され得る。複数のチャネルに適応するために、ダウンリンク信号は、時間多重化様式でチャネルに割り振られた無線リソースを備え得る（たとえば、チャネルはタイムスロットを割り振られ得る）。ダウンリンクチャネル多重化構成３０１は、ダウンリンクチャネルＰＣＳＣＨ３０５、ＰＢＣＨ３１０、ＰＤＣＣＨ３１５、およびＰＤＳＣＨ３２０が時間多重化される例示的なシナリオを示す。場合によっては、各チャネルは、異なる数のスロット（すなわち、１／２サブフレーム）を割り当てられ得る。たとえば、図示のように、ＰＤＣＣＨ３１５は２つのスロットを割り振られ得る。ＰＤＣＣＨ３１５は、ページング、ＲＡＣＨ応答、ＨＡＲＱ、電力制御、およびＤＬ／ＵＬ割当て情報を搬送し得る。たとえば、ＰＤＣＣＨ３１５は、ＵＥ１１５が、ＰＤＳＣＨ３２０上のそれの割り当てられたデータトラフィックにアクセスするために使用し得る情報を搬送し得る。
【００５１】
[0068]図３Ａに示されている例では、等しい時間割振りをもつＰＣＳＣＨ３０５およびＰＢＣＨ３１０が示されている。しかしながら、時間多重化チャネルは、任意の量の利用可能な無線リソースを割り振られ得る。さらに、チャネルに割り振られた無線リソースは、あらゆるフレームについて同じであるか、または異なるフレームについて異なり得る。いくつかの事例では、ＰＣＳＣＨ３０５およびＰＢＣＨ３１０は、あらゆるフレームについて固定の長さであり得、ＰＤＣＣＨ３１５およびＰＤＳＣＨ３２０は可変長さであり得る。
【００５２】
[0069]図３Ｂに、本開示の様々な態様による、セルラーＩｏＴシステムのためのチャネル構造のためのアップリンクチャネル多重化構成３０２の一例を示す。アップリンクチャネル多重化構成３０２は、図１または図２を参照しながら上記で説明したように、基地局１０５と通信するためにＵＥ１１５によって使用され得る。複数のチャネルに適応するために、アップリンク信号は、周波数多重化様式で無線リソースを割り振られているチャネルを備え得る（たとえば、チャネルはいくつかの周波数を割り振られ得る）。たとえば、アップリンクチャネル多重化構成３０２は、ＰＲＡＣＨ３２５、ＰＵＳＣＨ３３０、およびＰＵＣＣＨ３３５に周波数の異なるセットを割り振り得る。
【００５３】
[0070]ＰＲＡＣＨ３２５は、アクティブＵＥ１１５のＰＵＳＣＨについての初期ランダムアクセスおよびオンデマンド要求のために使用され得る。ＰＵＳＣＨはデータトラフィックを備え得、ＰＵＣＣＨは、チャネル品質情報および肯定応答（ＡＣＫ）／否定応答（ＮＡＣＫ）情報など、アップリンク制御情報（ＵＣＩ）を搬送し得る。割り振られたアップリンク周波数は、図３Ｂに示されているように、連続であり得るが、他の例では、それらは不連続であり得る。周波数チャネル多重化に基づいて、ＵＥ１１５は、対応する周波数トーンを使用して複数のチャネルに関係する情報を同時に送信し得る。
【００５４】
[0071]ＵＥ１１５は、あらかじめＵＥ１１５に知られており、ローカル領域中のセルのグループに共通の波形を使用して、基地局１０５のセルと同期し得る。たとえば、ＰＣＳＣＨ３０５は、知られている波形を利用し得、時間多重化され得る。場合によっては、ＰＢＣＨはまた、知られている波形であり得る。ＵＥ１１５は、ＰＢＣＨ３１０送信時間を決定するために、知られている波形によって搬送される情報を使用し得る。ＵＥ１１５は、次いで、ＰＢＣＨ３１０を受信し、セルのための物理レイヤＩＤとアップリンク送信のための周波数とを決定するためにそれを使用し得る。ＰＢＣＨ３１０はまた、ＵＥ１１５がランダムアクセスプロシージャを実行することを可能にし得るチャネル構成（たとえば、ダウンリンクチャネル多重化構成３０１）を示し得る。チャネル構成は、共有トラフィックチャネル（たとえば、ＰＤＳＣＨ３２０）の時間および周波数リソース構成を含み得る。場合によっては、ＵＥ１１５は、制御チャネル送信のインデックスに基づいて、データ送信のためのリソースを決定し得る。場合によっては、制御チャネル送信とデータチャネル送信との間に所定の遅延があり得、それにより、ＵＥ１１５は、次いで、遅延中に低電力状態に入り得る。
【００５５】
[0072]図４に、本開示の様々な態様による、セルラーＩｏＴシステムのためのチャネル構造のための時間および周波数多重化セグメントをもつリソース割振り４００の一例を示す。リソース割振り４００は、図１、図２、図３Ａおよび図３Ｂを参照しながら説明したように、ＰＤＳＣＨ３２０またはＰＵＳＣＨ３３０の一例であり得る。リソース割振り４００は、図１または図２を参照しながら上記で説明したように基地局１０５によってＵＥ１１５に与えられ得、図２、図３Ａおよび図３Ｂを参照しながら上記で説明したように共通同期チャネルおよび多重化構成とともに使用され得る。リソース割振り４００は、４つのトーンを含む例示的な例を示すが、利用可能なトーンの数は５つ以上であり得る。場合によっては、フレキシブル割振りのためのトーンの数は、キャリア中のサブキャリアの数（たとえば、２０ＭＨｚキャリアについて１２００個のサブキャリア）に等しいことがある。
【００５６】
[0073]セグメントは、割振りのために利用可能なすべてのトーン、（たとえば、セグメント４０５または利用可能なトーンの一部分（たとえば、セグメント４２０およびセグメント４２５）を備え得る。いくつかの事例では、（たとえば、セグメント４２０およびセグメント４２５）は、帯域幅に関して最も小さい狭帯域キャリア（たとえば、１５ＫＨｚサブキャリア）を備え得る。他のリソースセグメント（たとえば、セグメント４１０、４１５、４３０、および４３５）は、中間帯域幅を使用し得る。リソースセグメントによって使用されるスロットの数は、セグメント中のトーンの数に反比例し得る。たとえば、割振りのために利用可能な４つのトーンを備えるセグメント４０５は、１つのスロットのみを使用し得、利用可能な２つのトーンを備えるセグメント４１０は、２倍の数のタイムスロットを使用し得る。１つのトーンのみを備えるセグメント４２０は、４倍の数のスロットを使用し得る。リソース割振り４００の時間周波数リソースは、同じＵＥ１１５または異なるＵＥ１１５に割り当てられ得、動的におよびフレキシブルに割り振られ得る。たとえば、セグメント４０５、４１０および４１５は１つのＵＥ１１５に割り振られ得、セグメント４２０および４２５は第２のＵＥ１１５に割り振られ得、セグメント４３０および４３５は第３のＵＥ１１５に割り振られ得る。場合によっては、ＵＥ１１５に割り当てられたセグメントの帯域幅は、デバイスの電力制限に対応し得る。たとえば、電力制限ＵＥ１１５は、デバイスがより長いスリープ期間中に無線構成要素をパワーダウンすることを可能にするために、より広い帯域幅を割り振られ得る。
【００５７】
[0074]したがって、ＵＥ１１５は、あらかじめ（beforehand）ＵＥ１１５に知られており、ローカル領域中のセルのグループに共通の波形を使用して、セルと同期し得る。ＵＥ１１５は、次いで、ＰＢＣＨ３１０時間を決定するために、ＰＣＳＣＨ３０５によって搬送される情報を使用し得る。ＵＥ１１５は、ＰＢＣＨ３１０を受信し、セルのための物理レイヤＩＤとアップリンク送信のための周波数とを決定するためにそれを使用し得る。ＰＢＣＨ３１０はまた、ＵＥ１１５がランダムアクセスプロシージャを実行することを可能にし得るチャネル構成を示し得る。チャネル構成は、例示的なリソース割振り４００に示されているように、異なる数のトーンおよびスロットをもつセグメントを利用するフレキシブル時間および周波数リソース構成を含み得る。場合によっては、ＵＥ１１５は、制御チャネル送信のインデックスに基づいて、データ送信のためのリソース（たとえば、リソースセグメントのためのスロットおよびトーン）を決定し得る。場合によっては、制御チャネル送信とデータチャネル送信との間に所定の遅延があり得、それにより、ＵＥ１１５は、次いで、遅延中に低電力状態に入り得る。
【００５８】
[0075]図５に、本開示の様々な態様による、セルラーＩｏＴシステムのためのチャネル構造のためのダウンリンクチャネルセグメント構成５００の一例を示す。ダウンリンクチャネルセグメント構成５００は、図１〜図４を参照して説明したように、ＵＥ１１５と基地局１０５との間の通信のために使用され得る。
【００５９】
[0076]いくつかの例では、ＰＤＳＣＨ３２０またはＰＵＳＣＨ３３０などの共有チャネルは、ダウンリンクチャネルセグメント構成５００によって示されるように、時間／周波数タイリング中で構成される様々な周波数上で異なる時間に送信され得る。たとえば、ＰＤＳＣＨ３２０は、無線リソースにわたってタイリングされ得るセグメントに編成され得る。ＵＥ１１５は、正常に（successfully）復号されたＰＤＣＣＨのインデックスを決定することによって、割り当てられたＰＤＳＣＨセグメントを識別し得る。たとえば、ＵＥ１１５は、ＰＤＣＣＨ３１５の構成およびＰＤＳＣＨ３２０の対応する構成に関する情報を搬送し得るＰＢＣＨ５０５を受信し得る。ＵＥ１１５は、ＰＤＣＣＨセグメント（たとえば、ＰＤＣＣＨ１  ５１０、ＰＤＣＣＨ２  ５１５、ＰＤＣＣＨ３  ５２０、およびＰＤＣＣＨ４  ５２５）を復号し、各正常に復号されたセグメント（すなわち、ＵＥ１１５を対象とする各セグメント）のインデックスを決定することを試み得る。ＵＥ１１５に割り当てられたＰＤＳＣＨセグメント（たとえば、ＰＤＳＣＨ１  ５３５、ＰＤＳＣＨ２  ５４０、ＰＤＳＣＨ３  ５４５、およびＰＤＳＣＨ４  ５５０）は、ＵＥ１１５のためのＰＤＣＣＨセグメントに対応するインデックスを有し得る。
【００６０】
[0077]たとえば、ＵＥ１１５は、割り当てられたチャネルセグメントＰＤＳＣＨ１  ５３５を識別するために、チャネルセグメントＰＤＣＣＨ１  ５１０を復号し得る。別の例として、ＵＥ１１５は、複数の対応するＰＤＳＣＨセグメント（たとえば、ＰＤＳＣＨセグメント１〜４）を識別するために、複数のチャネルセグメント（たとえば、ＰＤＣＣＨセグメント１〜４）を復号し得る。
【００６１】
[0078]別の例では、ＵＥ１１５は、それがチャネルセグメントＰＤＳＣＨ５  ５５５を割り当てられていると決定するために、チャネルセグメントＰＤＣＣＨ５  ５３０を復号し得る。そのような事例では、ＵＥ１１５は、それがチャネルセグメントＰＤＳＣＨ１  ５３５、ＰＤＳＣＨ２  ５４０、ＰＤＳＣＨ３  ５４５、およびＰＤＳＣＨ４  ５５０中にスリープし得ると決定し得る。ＵＥ１１５は、次いで、チャネルセグメントＰＤＳＣＨ５  ５５５を受信するために起動し（wake up）得る。言い換えれば、アクティブＵＥ１１５は、フレームの始めに起動し、制御メッセージ（たとえば、ＰＢＣＨ５０５およびＰＤＣＣＨ３１５）を復号し、低電力モードに入り、次いで、ＰＤＳＣＨ５  ５５５などの割り当てられたＰＤＳＣＨセグメント（またはＰＵＳＣＨセグメント）がスケジュールされるとき、無線構成要素を再アクティブ化し得る。これは、ＵＥ１１５が電力を温存することを可能にし得る。いくつかの実施形態では、基地局１０５は、アクティブＵＥ１１５をスリープモードにするためのアクティビティタイムアウト機構を実装し得る。さらに、ＵＥ１１５は、（たとえば、割り当てられたＰＵＳＣＨセグメント中のトラフィックとともに）終了メッセージを基地局１０５に送り得る。
【００６２】
[0079]したがって、ＵＥ１１５は、あらかじめＵＥ１１５に知られており、ローカル領域中のセルのグループに共通の波形を使用して、セルと同期し得る。ＵＥ１１５は、次いで、ＰＢＣＨ５０５のためのタイミングを決定し得る。ＰＢＣＨ５０５は、ダウンリンクチャネルセグメント構成５００を示し得る。場合によっては、ＵＥ１１５は、制御チャネル送信（たとえば、ＰＤＣＣＨ５  ５２５）のインデックスに基づいて、データ送信（たとえば、ＰＤＳＣＨ５  ５５５）のためのリソースを決定し得る。場合によっては、制御チャネル送信とデータチャネル送信との間に所定の遅延があり得、それにより、ＵＥ１１５は、次いで、遅延中に低電力状態に入り得る。
【００６３】
[0080]図６に、本開示の様々な態様による、セルラーＩｏＴシステムのためのチャネル構造を利用するセル収集のためのプロセスフロー図６００の一例を示す。セル収集のためのプロセスフロー図６００はまた、図１および図２を参照しながら上記で説明したＵＥ１１５の一例であり得る、ＵＥ１１５−ｂを含み得る。セル収集のためのプロセスフロー図６００は、図１および図２を参照しながら上記で説明した基地局１０５の例であり得る、基地局１０５−ｄおよび１０５−ｅをも含み得る。基地局１０５−ｄおよび基地局１０５−ｅは、重複カバレージエリア１１０を有し得、（ＰＣＳＣＨまたはＰＢＣＨのための）知られている波形を共有するセルのローカルグループの一部であり得る。
【００６４】
[0081]ステップ６０５において、ＵＥ１１５−ｂは、共通同期チャネル上で基地局１０５−ｅから第１の同期信号を受信し得る。第１の同期信号は、信号を受信することより前にＵＥ１１５−ｂに知られている波形であり得る。いくつかの実施形態では、ＵＥ１１５−ｂは、第１の同期信号に基づいてキャリア周波数を推定し得る。たとえば、ＵＥ１１５−ｂは、第１の同期信号の推定されたキャリア周波数とＵＥ１１５−ｂの局部発振器によって生成された周波数とを比較し、発振器を微調整するためにフィードバックを使用し得る。いくつかの事例では、ＵＥ１１５−ｂは、比較に基づいてアップリンクキャリア周波数を生成し、生成されたアップリンクキャリア周波数をもつアップリンク信号を送信し得る。
【００６５】
[0082]ステップ６１０において、ＵＥ１１５−ｂは、第１の同期信号のシンボル時間を推定し得る。ステップ６１５において、ＵＥ１１５−ｂは、次いで、第１の同期信号の推定されたシンボル時間に基づいてＰＢＣＨシンボル時間を決定し得る。ステップ６２０において、ＵＥ１１５−ｂは、ＰＢＣＨシンボル時間に基づいてＰＢＣＨ信号を受信し得る。ＰＢＣＨの長さは、固定され、ＵＥ１１５−ｂにアプリオリ（a priori）に知られていることがある。その後、ステップ６２５において、ＵＥ１１５−ｂは、受信されたＰＢＣＨ信号に基づいて第１のセルの物理レイヤＩＤを決定し得る。
【００６６】
[0083]ステップ６３０において、ＵＥ１１５−ｂは、ＰＢＣＨ信号に基づいて構成メッセージを識別し得る。場合によっては、ＵＥ１１５−ｂは、ＵＥ１１５−ｂのためのＩＤと、共有データトラフィックチャネル上でのデータチャネル送信のための時間周波数リソースのインデックスとを指定する制御チャネル送信を受信し得る。すなわち、ＰＢＣＨ信号は、共有データトラフィックチャネルの時間／周波数構成を指定する構成メッセージを備え得る。リソース構成は、ＤＬ共有チャネルのための、または、ＵＬ共有チャネルのためのものであり得る。したがって、ＵＥ１１５−ｂは示された時間周波数リソースに従ってデータを受信し得、場合によっては、ＵＥ１１５−ｂはリソースを使用してデータを送信し得る。
【００６７】
[0084]いくつかの例では、制御チャネル送信の送信電力はデータチャネル送信の送信電力に比例する。いくつかの例では、送信電力は、基地局１０５−ｄ（または１０５−ｅ）とＵＥ１１５−ｂとの間の経路損失に基づく。
【００６８】
[0085]ステップ６３５において、ＵＥ１１５−ｂは、受信された構成メッセージに基づいて、ランダムアクセス信号を第１のセルに送信し得る。その後、ステップ６４０において、ＵＥ１１５−ｂは、第１のセルへの第１の接続を確立し得る。
【００６９】
[0086]ステップ６４５において、ＵＥ１１５−ｂは、構成メッセージによって指定されたチャネル構造に基づいて、基地局１０５−ｄとデータを交換し得る。チャネル構造は、フレキシブルであり得、所定のテーブルに基づく共有チャネルタイリングパターンのための構成を含み得る。所定のテーブルは、ＰＢＣＨ中で送信された構成メッセージによって指定され得る構成オプションを含み得る。場合によっては、ＵＥ１１５−ｂは、マシンタイプ通信（ＭＴＣ）プロシージャに基づいてネットワークとデータを交換し得る。いくつかの事例では、制御チャネル送信は、制御チャネル送信とデータチャネル送信との間の遅延を示し得る。ＵＥ１１５−ｂは、次いで、遅延に基づいて起動タイマーを開始し、低電力モードに入り、スリープ起動タイマーの満了（expiration）時に（データの送信または受信のために）起動し得る。
【００７０】
[0087]ステップ６５０において、ＵＥ１１５−ｂは、共通同期上で基地局１０５−ｅから（第１の同期信号と同じ波形を使用する）第２の同期信号を受信し得る。たとえば、ＵＥ１１５−ｂと基地局１０５−ｄとの間のチャネル品質が劣化する場合、ＵＥ１１５−ｂは、基地局１０５−ｅにハンドオーバするように指示され得る。ステップ６５５において、ＵＥ１１５−ｂは、第２の同期信号に基づいて基地局１０５−ｅとの第２の接続を確立し得る。ＵＥ１１５−ｂは、次いで、基地局１０５−ｅから新しいチャネル構成を受信し、新しい構成に基づいてデータを交換し得る。
【００７１】
[0088]図７に、本開示の様々な態様による、セルラーＩｏＴシステムのためのチャネル構造のために構成されたＵＥ１１５−ｃのブロック図７００を示す。ＵＥ１１５−ｃは、図１〜図６を参照しながら説明したＵＥ１１５の態様の一例であり得る。ＵＥ１１５−ｃは、受信機７０５、通信管理モジュール７１０、および／または送信機７１５を含み得る。ＵＥ１１５−ｃはプロセッサをも含み得る。これらの構成要素の各々は互いと通信していることがある。
【００７２】
[0089]受信機７０５は、パケット、ユーザデータ、および／または様々な情報チャネルに関連する制御情報（たとえば、制御チャネル、データチャネル、およびセルラーＩｏＴシステムのためのチャネル構造に関係する情報など）などの情報を受信し得る。情報は、通信管理モジュール７１０に、およびＵＥ１１５−ｃの他の構成要素に受け渡され得る。いくつかの例では、受信機７０５は、共有データトラフィックチャネルの時間周波数リソース上でデータチャネル送信を受信し得る。いくつかの例では、受信機７０５は、スリープ間隔中に低電力モードにされ、次いで、スリープ起動タイマーの満了時にデータチャネル送信を受信するためにパワーアップされ得る。
【００７３】
[0090]通信管理モジュール７１０は、第１のセルの共通同期チャネル上で第１のセルから第１の同期信号を受信することと、ここにおいて、第１の同期信号が、信号を受信することより前にＵＥ１１５に知られている波形である、第１の同期信号のシンボル時間を推定することと、第１の同期信号の推定されたシンボル時間に基づいて、第１のセルのＰＢＣＨシンボル時間を決定することと、ＰＢＣＨシンボル時間に少なくとも部分的に基づいてＰＢＣＨ信号を受信することと、受信されたＰＢＣＨ信号に基づいて第１のセルの物理レイヤＩＤを決定することとを行い得る。
【００７４】
[0091]送信機７１５は、ＵＥ１１５−ｃの他の構成要素から受信された信号を送信し得る。いくつかの実施形態では、送信機７１５は、トランシーバモジュールにおいて受信機７０５とコロケートされ得る。送信機７１５は単一のアンテナを含み得るか、またはそれは複数のアンテナを含み得る。いくつかの例では、送信機７１５は、生成されたアップリンクキャリア周波数をもつアップリンク信号を送信し得る。いくつかの例では、送信機７１５は、共有データトラフィックチャネルの時間周波数リソース上でデータチャネル送信を送信し得る。いくつかの例では、送信機７１５は、スリープ間隔中に低電力モードにされ、次いで、スリープ起動タイマーの満了時にデータチャネル送信を送信するためにパワーアップされ得る。
【００７５】
[0092]図８に、本開示の様々な態様による、セルラーＩｏＴシステムのためのチャネル構造のためのＵＥ１１５−ｄのブロック図８００を示す。ＵＥ１１５−ｄは、図１〜図７を参照しながら説明したＵＥ１１５の態様の一例であり得る。ＵＥ１１５−ｄは、受信機７０５−ａ、通信管理モジュール７１０−ａ、または送信機７１５−ａを含み得る。ＵＥ１１５−ｄはプロセッサをも含み得る。これらの構成要素の各々は互いと通信していることがある。通信管理モジュール７１０−ａはまた、同期モジュール８０５と、ＰＢＣＨタイミングモジュール８１０と、セルＩＤモジュール８１５とを含み得る。
【００７６】
[0093]受信機７０５−ａは、通信管理モジュール７１０−ａに、およびＵＥ１１５−ｄの他の構成要素に受け渡され得る情報を受信し得る。通信管理モジュール７１０−ａは、図７を参照しながら上記で説明した動作を実行し得る。送信機７１５−ａは、ＵＥ１１５−ｄの他の構成要素から受信された信号を送信し得る。
【００７７】
[0094]同期モジュール８０５は、図２〜図６を参照しながら上記で説明したように、第１のセルの共通同期チャネル上で第１のセルから第１の同期信号を受信し得、ここにおいて、第１の同期信号が、信号を受信することより前にＵＥに知られている波形である。同期モジュール８０５はまた、第１の同期信号のシンボル時間を推定し得る。同期モジュール８０５はまた、第２のセルの共通同期チャネル上で第２のセルから第２の同期信号を受信し得、第２のセルが第１のセルとは異なり、ここにおいて、第１の同期信号と第２の同期信号とが同じ波形を使用する。
【００７８】
[0095]ＰＢＣＨタイミングモジュール８１０は、図２〜図６を参照しながら上記で説明したように、第１の同期信号の推定されたシンボル時間に基づいて、第１のセルのＰＢＣＨシンボル時間を決定し得る。ＰＢＣＨタイミングモジュール８１０はまた、ＰＢＣＨシンボル時間に少なくとも部分的に基づいてＰＢＣＨ信号を受信し得る。いくつかの例では、ＰＢＣＨ信号の長さが、ＰＢＣＨ信号を受信することより前に固定され、ＵＥに知られていることがある。
【００７９】
[0096]セルＩＤモジュール８１５は、図２〜図６を参照しながら上記で説明したように、受信されたＰＢＣＨ信号に基づいて第１のセルの物理レイヤＩＤを決定し得る。
【００８０】
[0097]図９に、本開示の様々な態様による、セルラーＩｏＴシステムのためのチャネル構造のための通信管理モジュール７１０−ｂのブロック図９００を示す。通信管理モジュール７１０−ｂは、図７〜図８を参照しながら説明した通信管理モジュール７１０の態様の一例であり得る。通信管理モジュール７１０−ｂは、同期モジュール８０５−ａと、ＰＢＣＨタイミングモジュール８１０−ａと、セルＩＤモジュール８１５−ａとを含み得る。これらのモジュールの各々は、図８を参照しながら上記で説明した機能を実行し得る。通信管理モジュール７１０−ｂはまた、構成モジュール９０５と、ＲＡＣＨモジュール９１０と、接続モジュール９１５と、周波数推定モジュール９２０と、送信リソースモジュール９２５と、送信電力モジュール９３０と、スリープ起動タイマー９３５と、電力節約モジュール９４０とを含み得る。
【００８１】
[0098]構成モジュール９０５は、図２〜図６を参照しながら上記で説明したように、ＰＢＣＨ信号に基づいて構成メッセージを識別し得る。構成モジュール９０５はまた、構成メッセージによって指定されたチャネル構造に基づいて、第１または第２のセルとデータを交換し得る。いくつかの例では、ＰＢＣＨ信号は、ペイロードデータトラフィックを送信するための共有データトラフィックチャネルの時間および周波数リソース構成を指定する構成メッセージを備える。いくつかの例では、制御チャネル送信は、制御チャネル送信のタイミングとデータチャネル送信のタイミングとの間の遅延を備える。いくつかの例では、制御チャネル送信は、制御チャネル送信のタイミングとデータチャネル送信のタイミングとの間の遅延を備える。構成モジュール９０５はまた、フレキシブルチャネル構造のフレキシブル時間および周波数タイリングパターンに従って構成されたセグメントをもつチャネルのセットを使用してデータを交換し得る。いくつかの例では、フレキシブルチャネル構造が、所定のテーブルに基づく共有チャネルタイリングパターンの構成を備え、構成が、ＰＢＣＨ信号中で送信された構成メッセージによって指定され得る。いくつかの例では、時間周波数リソースのインデックスは所定のテーブルのインデックスを示す。
【００８２】
[0099]ＲＡＣＨモジュール９１０は、図２〜図６を参照しながら上記で説明したように、受信された構成メッセージに基づいて、ランダムアクセス信号を第１のセルに（送信機７１５と協調して）送信し得る。
【００８３】
[0100]接続モジュール９１５は、図２〜図６を参照しながら上記で説明したように、第１のセルへの第１の接続を確立し得る。接続モジュール９１５はまた、第２の同期信号に基づいて第２のセルへの第２の接続を確立し得る。いくつかの例では、第１のセルおよび第２のセルが、知られている波形を共有するセルのセットの要素であり、ここにおいて、セルのセットからの各セルが、セルのセットからの別のセルとの重複カバレージエリアを有する。
【００８４】
[0101]周波数推定モジュール９２０は、図２〜図６を参照しながら上記で説明したように、第１の同期信号のキャリア周波数を推定し得る。周波数推定モジュール９２０はまた、第１の同期信号の推定されたキャリア周波数とＵＥの局部発振器によって生成されたローカルキャリア周波数とを比較し得る。周波数推定モジュール９２０は、次いで、比較に応じてアップリンクキャリア周波数を生成し得る。
【００８５】
[0102]送信リソースモジュール９２５は、図２〜図６を参照しながら上記で説明したように、ＵＥのＩＤと、共有データトラフィックチャネル上でのデータチャネル送信のための時間周波数リソースのインデックスとを指定する制御チャネル送信を受信し得る。
【００８６】
[0103]送信電力モジュール９３０は、図２〜図６を参照しながら上記で説明したように、制御チャネル送信の送信電力がデータチャネル送信の送信電力に比例し得るように構成され得る。いくつかの例では、制御チャネル送信の送信電力がＵＥの経路損失に基づき得る。
【００８７】
[0104]スリープ起動タイマー９３５は、図２〜図６を参照しながら上記で説明したように、データチャネル送信のタイミングに基づいてスリープ起動タイマーを開始し得る。スリープ起動タイマー９３５はまた、データチャネル送信のタイミングに基づいてスリープ起動タイマーを開始し得る。
【００８８】
[0105]電力節約モジュール９４０は、図２〜図６を参照しながら上記で説明したように、スリープ起動タイマーを開始することに少なくとも部分的に基づいて、電力節約モードに入り（または、ＵＥに電力節約モードに入らせ）得る。電力節約モジュール９４０はまた、スリープ起動タイマーに少なくとも部分的に基づいて電力節約モードに入り（次いで電力節約モードを終了し）得る。
【００８９】
[0106]図１０に、本開示の様々な態様による、セルラーＩｏＴシステムのためのチャネル構造のために構成されたＵＥ１１５−ｅを含むシステム１０００の図を示す。システム１０００は、図１〜図９を参照しながら上記で説明したＵＥ１１５の一例であり得る、ＵＥ１１５−ｅを含み得る。ＵＥ１１５−ｅは、図７〜図９を参照しながら説明した通信管理モジュール７１０の一例であり得る、通信管理モジュール１０１０を含み得る。ＵＥ１１５−ｅはＭＴＣモジュール１０２５をも含み得る。ＵＥ１１５−ｅは、通信を送信するための構成要素と通信を受信するための構成要素とを含む、双方向音声およびデータ通信のための構成要素をも含み得る。たとえば、ＵＥ１１５−ｅは基地局１０５−ｆと双方向に通信し得る。
【００９０】
[0107]ＭＴＣモジュール１０２５は、図２〜図６を参照しながら上記で説明したように、ＭＴＣプロシージャに基づいてネットワークとデータを交換し得る。たとえば、ＭＴＣモジュール１０２５は、送信シンボル時間を決定するために、開ループタイミング同期を使用することによってＵＥ１１５−ｅと基地局１０５−ｆとの間の改善された通信を可能にし得る。この例では、ＭＴＣモジュール１０２５はまた、アップリンク送信における拡張サイクリックプレフィックス長の使用を可能にし得、非拡張サイクリックプレフィックス長は、ダウンリンク送信とともに使用され得る。拡張アップリンクサイクリックプレフィックスを使用することによって、異なるＵＥ１１５からのアップリンク信号は、アップリンクサイクリックプレフィックスによってカバーされる時間ウィンドウ（window of time）（たとえば、ＵＥ１１５と基地局１０５−ｆとの間の最大ラウンドトリップ遅延）内に、基地局１０５−ｆに到着し得る。
【００９１】
[0108]ＭＴＣプロシージャの他の例では、ＵＥ１１５−ｅは、ダウンリンクメッセージを復調するための直交周波数分割多元接続（ＯＦＤＭＡ）と、アップリンク変調のためのガウシアン最小シフトキーイング（ＧＭＳＫ）とシングルキャリア周波数分割多元接続（ＳＣ−ＦＤＭＡ）との組合せとを利用し得る。アップリンク変調プロセスは、Ｍ点離散フーリエ変換（ＤＦＴ）を用いてシンボルベクトルを生成することと、周波数領域ガウシアンフィルタを用いてシンボルベクトルをフィルタ処理することと、逆ＤＦＴを利用してフィルタ処理されたシンボルベクトルからサンプルベクトルを生成することと、ＧＭＳＫを利用してサンプルベクトルを変調することとを含み得る。場合によっては、アップリンク変調は、基地局から受信された狭帯域リソース割振りに基づき得る。
【００９２】
[0109]ＭＴＣプロシージャの他の例では、ＭＴＣモジュール１０２５は、基地局１０５−ｆによってＵＥ１１５−ｅに割り振られた時間または周波数リソースを識別するように構成され得る。この例では、リソース割振りは、送信のためにスケジュールされたＰＲＡＣＨ信号のタイプおよびクラスに基づいて配分され得る。たとえば、ＭＴＣモジュール１０２５は、ＵＥ１１５−ｅが、定期的にスケジュールされたトラフィックを送信するためにリソースの第１のサブセットを割り当てられ、オンデマンドトラフィックを送信するためにリソースの第２のサブセットを割り当てられると決定し得る。定期的にスケジュールされたトラフィックは、たとえば、所定の時間間隔（たとえば、２４時間間隔）で基地局に報告されるセンサー測定値を含み得る。対照的に、オンデマンドトラフィックは、少なくとも１つの報告トリガの検出（たとえば、ＵＥ１１５−ｅにおいて異常を検知すること）に基づいて開始される、即席の送信を含み得る。
【００９３】
[0110]ＭＴＣプロシージャの他の例では、ＵＥ１１５−ｅは、サービングセルとの接続を確立するために初期アクセスプロシージャを実行し得る。ＵＥ１１５−ｅは、次いで、間欠送信（ＤＴＸ）サイクルと肯定応答スケジュールとを含むサービングセルとの定期送信スケジュールを構成し得る。ＵＥ１１５−ｅは、低電力モードに入り、ＤＴＸサイクルのスリープ間隔中にどんな送信をも控え得る。ＵＥ１１５−ｅは、次いで、起動し、別のアクセスプロシージャを実行することなしに、スリープ間隔の後にメッセージをサービングセルに送信し得る。ＵＥ１１５−ｅは、定期送信スケジュールによってカバーされない時間において送信するために別のアクセスプロシージャを実行し得る。たとえば、メッセージのための肯定応答（ＡＣＫ）が受信されない場合、ＵＥ１１５−ｅは再送信のための別のアクセスプロシージャを実行し得る。
【００９４】
[0111]ＭＴＣプロシージャの他の例では、ＭＴＣモジュール１０２５は、後続の第２の通信セッションのための電力およびタイミング制御情報を決定するために、基地局との第１の通信セッションからの記憶された制御情報を使用することを可能にし得る。詳細には、この例では、ＭＴＣモジュール１０２５は、基地局１０５−ｆとの第１の通信セッションを確立し、第１の通信セッション中に、ＵＥ１１５−ｅがアップリンク送信に関連する送信信号シンボルタイミングまたは電力制御レベルの調整するのを助けるために、基地局１０５−ｆから閉ループ制御情報を受信し得る。そのような事例では、ＭＴＣモジュール１０２５は、メモリ１０１５に、第１の通信セッション中に閉ループ制御情報から導出された送信電力およびシンボルタイミング情報を記憶することを可能にし得る。その後、ＭＴＣモジュール１０２５は、基地局１０５−ｆとの第２の通信セッションを確立するために送信信号電力またはシンボルタイミングを決定するために、第１の通信セッションからの記憶された閉ループ制御情報を利用し得る。
【００９５】
[0112]ＵＥ１１５−ｅはまた、プロセッサモジュール１００５と、（ソフトウェア（ＳＷ）１０２０を含む）メモリ１０１５と、トランシーバモジュール１０３５と、１つまたは複数のアンテナ１０４０とを含み得、その各々は、（たとえば、バス１０４５を介して）互いと直接的または間接的に通信し得る。トランシーバモジュール１０３５は、上記で説明したように、（１つまたは複数の）アンテナ１０４０および／あるいはワイヤードリンクまたはワイヤレスリンクを介して、１つまたは複数のネットワークと双方向に通信し得る。たとえば、トランシーバモジュール１０３５は、基地局１０５および／または別のＵＥ１１５と双方向に通信し得る。トランシーバモジュール１０３５は、パケットを変調し、変調されたパケットを送信のために（１つまたは複数の）アンテナ１０４０に与え、（１つまたは複数の）アンテナ１０４０から受信されたパケットを復調するためのモデムを含み得る。ＵＥ１１５−ｅは単一のアンテナ１０４０を含み得るが、ＵＥ１１５−ｅはまた、複数のワイヤレス送信を同時に送信および／または受信することが可能な複数のアンテナ１０４０を有し得る。
【００９６】
[0113]メモリ１０１５は、ランダムアクセスメモリ（ＲＡＭ）および読取り専用メモリ（ＲＯＭ）を含み得る。メモリ１０１５は、実行されたとき、プロセッサモジュール１００５に本明細書で説明する様々な機能（たとえば、セルラーＩｏＴシステムのためのチャネル構造など）を実行させる命令を含むコンピュータ可読、コンピュータ実行可能ソフトウェア／ファームウェアコード１０２０を記憶し得る。代替的に、ソフトウェア／ファームウェアコード１０２０は、プロセッサモジュール１００５によって直接的に実行可能でないことがあるが、（たとえば、コンパイルされ、実行されたとき）コンピュータに本明細書で説明する機能を実行させ得る。プロセッサモジュール１００５は、インテリジェントハードウェアデバイス（たとえば、ＡＲＭ（登録商標）ベースのプロセッサあるいはＩｎｔｅｌ（登録商標）ＣｏｒｐｏｒａｔｉｏｎまたはＡＭＤ（登録商標）製のものなどの中央処理ユニット（ＣＰＵ）、マイクロコントローラ、ＡＳＩＣなど）を含み得る。
【００９７】
[0114]図１１に、本開示の様々な態様による、セルラーＩｏＴシステムのためのチャネル構造のための方法１１００を示すフローチャートを示す。方法１１００の動作は、図１〜図１０を参照しながら説明したようにＵＥ１１５またはそれの構成要素によって実装され得る。たとえば、方法１１００の動作は、図７〜図１１を参照しながら説明したように通信管理モジュール７１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。
【００９８】
[0115]ブロック１１０５において、ＵＥ１１５は、図２〜図６を参照しながら上記で説明したように、第１のセルの共通同期チャネル上で第１のセルから第１の同期信号を受信し、ここにおいて、第１の同期信号が、信号を受信することより前にＵＥに知られている波形である。いくつかの例では、ブロック１１０５の動作は、図８を参照しながら上記で説明したように同期モジュール８０５によって実行され得る。
【００９９】
[0116]ブロック１１１０において、ＵＥ１１５は、図２〜図６を参照しながら上記で説明したように、第１の同期信号のシンボル時間を推定する。いくつかの例では、ブロック１１１０の動作は、図８を参照しながら上記で説明したように同期モジュール８０５によって実行され得る。
【０１００】
[0117]ブロック１１１５において、ＵＥ１１５は、図２〜図６を参照しながら上記で説明したように、第１の同期信号の推定されたシンボル時間に基づいて、第１のセルのＰＢＣＨシンボル時間を決定する。いくつかの例では、ブロック１１１５の動作は、図８を参照しながら上記で説明したようにＰＢＣＨタイミングモジュール８１０によって実行され得る。
【０１０１】
[0118]ブロック１１２０において、ＵＥ１１５は、図２〜図６を参照しながら上記で説明したように、ＰＢＣＨシンボル時間に少なくとも部分的に基づいてＰＢＣＨ信号を受信する。いくつかの例では、ブロック１１２０の動作は、図８を参照しながら上記で説明したようにＰＢＣＨタイミングモジュール８１０によって実行され得る。
【０１０２】
[0119]ブロック１１２５において、ＵＥ１１５は、図２〜図６を参照しながら上記で説明したように、受信されたＰＢＣＨ信号に基づいて第１のセルの物理レイヤＩＤを決定する。いくつかの例では、ブロック１１２５の動作は、図８を参照しながら上記で説明したようにセルＩＤモジュール８１５によって実行され得る。
【０１０３】
[0120]図１２に、本開示の様々な態様による、セルラーＩｏＴシステムのためのチャネル構造のための方法１２００を示すフローチャートを示す。方法１２００の動作は、図１〜図１０を参照しながら説明したようにＵＥ１１５またはそれの構成要素によって実装され得る。たとえば、方法１２００の動作は、図７〜図１１を参照しながら説明したように通信管理モジュール７１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法１２００はまた、図１１の方法１１００の態様を組み込み得る。
【０１０４】
[0121]ブロック１２０５において、ＵＥ１１５は、図２〜図６を参照しながら上記で説明したように、第１のセルの共通同期チャネル上で第１のセルから第１の同期信号を受信し、ここにおいて、第１の同期信号が、信号を受信することより前にＵＥに知られている波形である。いくつかの例では、ブロック１２０５の動作は、図８を参照しながら上記で説明したように同期モジュール８０５によって実行され得る。
【０１０５】
[0122]ブロック１２１０において、ＵＥ１１５は、図２〜図６を参照しながら上記で説明したように、第１の同期信号のシンボル時間を推定する。いくつかの例では、ブロック１２１０の動作は、図８を参照しながら上記で説明したように同期モジュール８０５によって実行され得る。
【０１０６】
[0123]ブロック１２１５において、ＵＥ１１５は、図２〜図６を参照しながら上記で説明したように、第１の同期信号の推定されたシンボル時間に基づいて、第１のセルのＰＢＣＨシンボル時間を決定する。いくつかの例では、ブロック１２１５の動作は、図８を参照しながら上記で説明したようにＰＢＣＨタイミングモジュール８１０によって実行され得る。
【０１０７】
[0124]ブロック１２２０において、ＵＥ１１５は、図２〜図６を参照しながら上記で説明したように、ＰＢＣＨシンボル時間に少なくとも部分的に基づいてＰＢＣＨ信号を受信する。いくつかの例では、ブロック１２２０の動作は、図８を参照しながら上記で説明したようにＰＢＣＨタイミングモジュール８１０によって実行され得る。
【０１０８】
[0125]ブロック１２２５において、ＵＥ１１５は、図２〜図６を参照しながら上記で説明したように、受信されたＰＢＣＨ信号に基づいて第１のセルの物理レイヤＩＤを決定する。いくつかの例では、ブロック１２２５の動作は、図８を参照しながら上記で説明したようにセルＩＤモジュール８１５によって実行され得る。
【０１０９】
[0126]ブロック１２３０において、ＵＥ１１５は、図２〜図６を参照しながら上記で説明したようにＰＢＣＨ信号に基づいて構成メッセージを識別する。いくつかの例では、ブロック１２３０の動作は、図９を参照しながら上記で説明したように構成モジュール９０５によって実行され得る。
【０１１０】
[0127]ブロック１２３５において、ＵＥ１１５は、図２〜図６を参照しながら上記で説明したように、受信された構成メッセージに基づいて、ランダムアクセス信号を第１のセルに送信する。いくつかの例では、ブロック１２３５の動作は、図９を参照しながら上記で説明したようにＲＡＣＨモジュール９１０によって実行され得る。
【０１１１】
[0128]ブロック１２４０において、ＵＥ１１５は、図２〜図６を参照しながら上記で説明したように、第１のセルへの第１の接続を確立する。いくつかの例では、ブロック１２４０の動作は、図９を参照しながら上記で説明したように接続モジュール９１５によって実行され得る。
【０１１２】
[0129]ブロック１２４５において、ＵＥ１１５は、図２〜図６を参照しながら上記で説明したように、第２のセルの共通同期チャネル上で第２のセルから第２の同期信号を受信し、第２のセルが第１のセルとは異なり、ここにおいて、第１の同期信号と第２の同期信号とが同じ波形を使用する。いくつかの例では、ブロック１２４５の動作は、図８を参照しながら上記で説明したように同期モジュール８０５によって実行され得る。
【０１１３】
[0130]ブロック１２５０において、ＵＥ１１５は、図２〜図６を参照しながら上記で説明したように、第２の同期信号に基づいて第２のセルへの第２の接続を確立する。いくつかの例では、ブロック１２５０の動作は、図９を参照しながら上記で説明したように接続モジュール９１５によって実行され得る。
【０１１４】
[0131]ブロック１２５５において、ＵＥ１１５は、図２〜図６を参照しながら上記で説明したように、構成メッセージによって指定されたチャネル構造に基づいて、第１または第２のセルとデータを交換する。いくつかの例では、ブロック１２５５の動作は、図９を参照しながら上記で説明したように構成モジュール９０５によって実行され得る。
【０１１５】
[0132]図１３に、本開示の様々な態様による、セルラーＩｏＴシステムのためのチャネル構造のための方法１３００を示すフローチャートを示す。方法１３００の動作は、図１〜図１０を参照しながら説明したようにＵＥ１１５またはそれの構成要素によって実装され得る。たとえば、方法１３００の動作は、図７〜図１１を参照しながら説明したように通信管理モジュール７１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法１３００はまた、図１１〜図１２の方法１１００、および１２００の態様を組み込み得る。
【０１１６】
[0133]ブロック１３０５において、ＵＥ１１５は、図２〜図６を参照しながら上記で説明したように、第１のセルの共通同期チャネル上で第１のセルから第１の同期信号を受信し、ここにおいて、第１の同期信号が、信号を受信することより前にＵＥに知られている波形である。いくつかの例では、ブロック１３０５の動作は、図８を参照しながら上記で説明したように同期モジュール８０５によって実行され得る。
【０１１７】
[0134]ブロック１３１０において、ＵＥ１１５は、図２〜図６を参照しながら上記で説明したように、第１の同期信号のシンボル時間を推定する。いくつかの例では、ブロック１３１０の動作は、図８を参照しながら上記で説明したように同期モジュール８０５によって実行され得る。
【０１１８】
[0135]ブロック１３１５において、ＵＥ１１５は、図２〜図６を参照しながら上記で説明したように、第１の同期信号の推定されたシンボル時間に基づいて、第１のセルのＰＢＣＨシンボル時間を決定する。いくつかの例では、ブロック１３１５の動作は、図８を参照しながら上記で説明したようにＰＢＣＨタイミングモジュール８１０によって実行され得る。
【０１１９】
[0136]ブロック１３２０において、ＵＥ１１５は、図２〜図６を参照しながら上記で説明したように、ＰＢＣＨシンボル時間に少なくとも部分的に基づいてＰＢＣＨ信号を受信する。いくつかの例では、ブロック１３２０の動作は、図８を参照しながら上記で説明したようにＰＢＣＨタイミングモジュール８１０によって実行され得る。
【０１２０】
[0137]ブロック１３２５において、ＵＥ１１５は、図２〜図６を参照しながら上記で説明したように、受信されたＰＢＣＨ信号に基づいて第１のセルの物理レイヤＩＤを決定する。いくつかの例では、ブロック１３２５の動作は、図８を参照しながら上記で説明したようにセルＩＤモジュール８１５によって実行され得る。
【０１２１】
[0138]ブロック１３３０において、ＵＥ１１５は、図２〜図６を参照しながら上記で説明したように、第１の同期信号のキャリア周波数を推定する。いくつかの例では、ブロック１３３０の動作は、図９を参照しながら上記で説明したように周波数推定モジュール９２０によって実行され得る。
【０１２２】
[0139]ブロック１３３５において、ＵＥ１１５は、図２〜図６を参照しながら上記で説明したように、第１の同期信号の推定されたキャリア周波数とＵＥの局部発振器によって生成されたローカルキャリア周波数とを比較する。いくつかの例では、ブロック１３３５の動作は、図９を参照しながら上記で説明したように周波数推定モジュール９２０によって実行され得る。
【０１２３】
[0140]ブロック１３４０において、ＵＥ１１５は、図２〜図６を参照しながら上記で説明したように、比較に応じてアップリンクキャリア周波数を生成する。いくつかの例では、ブロック１３４０の動作は、図９を参照しながら上記で説明したように周波数推定モジュール９２０によって実行され得る。
【０１２４】
[0141]ブロック１３４５において、ＵＥ１１５は、図２〜図６を参照しながら上記で説明したように、生成されたアップリンクキャリア周波数をもつアップリンク信号を送信する。いくつかの例では、ブロック１３４５の動作は、図７を参照しながら上記で説明したように送信機７１５によって実行され得る。
【０１２５】
[0142]図１４に、本開示の様々な態様による、セルラーＩｏＴシステムのためのチャネル構造のための方法１４００を示すフローチャートを示す。方法１４００の動作は、図１〜図１０を参照しながら説明したようにＵＥ１１５またはそれの構成要素によって実装され得る。たとえば、方法１４００の動作は、図７〜図１１を参照しながら説明したように通信管理モジュール７１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法１４００はまた、図１１〜図１３の方法１１００、１２００、および１３００の態様を組み込み得る。
【０１２６】
[0143]ブロック１４０５において、ＵＥ１１５は、図２〜図６を参照しながら上記で説明したように、第１のセルの共通同期チャネル上で第１のセルから第１の同期信号を受信し、ここにおいて、第１の同期信号が、信号を受信することより前にＵＥに知られている波形である。いくつかの例では、ブロック１４０５の動作は、図８を参照しながら上記で説明したように同期モジュール８０５によって実行され得る。
【０１２７】
[0144]ブロック１４１０において、ＵＥ１１５は、図２〜図６を参照しながら上記で説明したように、第１の同期信号のシンボル時間を推定する。いくつかの例では、ブロック１４１０の動作は、図８を参照しながら上記で説明したように同期モジュール８０５によって実行され得る。
【０１２８】
[0145]ブロック１４１５において、ＵＥ１１５は、図２〜図６を参照しながら上記で説明したように、第１の同期信号の推定されたシンボル時間に基づいて、第１のセルのＰＢＣＨシンボル時間を決定する。いくつかの例では、ブロック１４１５の動作は、図８を参照しながら上記で説明したようにＰＢＣＨタイミングモジュール８１０によって実行され得る。
【０１２９】
[0146]ブロック１４２０において、ＵＥ１１５は、図２〜図６を参照しながら上記で説明したように、ＰＢＣＨシンボル時間に少なくとも部分的に基づいてＰＢＣＨ信号を受信する。ＰＢＣＨ信号は、ペイロードデータトラフィックを送信するための共有データトラフィックチャネルの時間および周波数リソース構成を指定する構成メッセージを備え得るいくつかの例では、ブロック１４２０の動作は、図８を参照しながら上記で説明したようにＰＢＣＨタイミングモジュール８１０によって実行され得る。
【０１３０】
[0147]ブロック１４２５において、ＵＥ１１５は、図２〜図６を参照しながら上記で説明したように、受信されたＰＢＣＨ信号に基づいて第１のセルの物理レイヤＩＤを決定する。いくつかの例では、ブロック１４２５の動作は、図８を参照しながら上記で説明したようにセルＩＤモジュール８１５によって実行され得る。
【０１３１】
[0148]ブロック１４３０において、ＵＥ１１５は、図２〜図６を参照しながら上記で説明したように、ＵＥのＩＤと、共有データトラフィックチャネル上でのデータチャネル送信のための時間周波数リソースのインデックスとを指定する制御チャネル送信を受信する。いくつかの例では、ブロック１４３０の動作は、図９を参照しながら上記で説明したように送信リソースモジュール９２５によって実行され得る。
【０１３２】
[0149]図１５に、本開示の様々な態様による、セルラーＩｏＴシステムのためのチャネル構造のための方法１５００を示すフローチャートを示す。方法１５００の動作は、図１〜図１０を参照しながら説明したようにＵＥ１１５またはそれの構成要素によって実装され得る。たとえば、方法１５００の動作は、図７〜図１１を参照しながら説明したように通信管理モジュール７１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法１５００はまた、図１１〜図１４の方法１１００、１２００、１３００、および１４００の態様を組み込み得る。
【０１３３】
[0150]ブロック１５０５において、ＵＥ１１５は、図２〜図６を参照しながら上記で説明したように、第１のセルの共通同期チャネル上で第１のセルから第１の同期信号を受信し、ここにおいて、第１の同期信号が、信号を受信することより前にＵＥに知られている波形である。いくつかの例では、ブロック１５０５の動作は、図８を参照しながら上記で説明したように同期モジュール８０５によって実行され得る。
【０１３４】
[0151]ブロック１５１０において、ＵＥ１１５は、図２〜図６を参照しながら上記で説明したように、第１の同期信号のシンボル時間を推定する。いくつかの例では、ブロック１５１０の動作は、図８を参照しながら上記で説明したように同期モジュール８０５によって実行され得る。
【０１３５】
[0152]ブロック１５１５において、ＵＥ１１５は、図２〜図６を参照しながら上記で説明したように、第１の同期信号の推定されたシンボル時間に基づいて、第１のセルのＰＢＣＨシンボル時間を決定する。いくつかの例では、ブロック１５１５の動作は、図８を参照しながら上記で説明したようにＰＢＣＨタイミングモジュール８１０によって実行され得る。
【０１３６】
[0153]ブロック１５２０において、ＵＥ１１５は、図２〜図６を参照しながら上記で説明したように、ＰＢＣＨシンボル時間に少なくとも部分的に基づいてＰＢＣＨ信号を受信する。ＰＢＣＨ信号は、ペイロードデータトラフィックを送信するための共有データトラフィックチャネルの時間および周波数リソース構成を指定する構成メッセージを備え得るいくつかの例では、ブロック１５２０の動作は、図８を参照しながら上記で説明したようにＰＢＣＨタイミングモジュール８１０によって実行され得る。
【０１３７】
[0154]ブロック１５２５において、ＵＥ１１５は、図２〜図６を参照しながら上記で説明したように、受信されたＰＢＣＨ信号に基づいて第１のセルの物理レイヤＩＤを決定する。いくつかの例では、ブロック１５２５の動作は、図８を参照しながら上記で説明したようにセルＩＤモジュール８１５によって実行され得る。
【０１３８】
[0155]ブロック１５３０において、ＵＥ１１５は、図２〜図６を参照しながら上記で説明したように、ＵＥのＩＤと、共有データトラフィックチャネル上でのデータチャネル送信のための時間周波数リソースのインデックスとを指定する制御チャネル送信を受信する。制御チャネル送信は、制御チャネル送信のタイミングとデータチャネル送信のタイミングとの間の遅延を備え得る。いくつかの例では、ブロック１５３０の動作は、図９を参照しながら上記で説明したように送信リソースモジュール９２５によって実行され得る。
【０１３９】
[0156]ブロック１５３５において、ＵＥ１１５は、図２〜図６を参照しながら上記で説明したように、データチャネル送信のタイミングに基づいてスリープ起動タイマーを開始し得る。いくつかの例では、ブロック１５３５の動作は、図９を参照しながら上記で説明したように、スリープ起動タイマー９３５によって実行され得る。
【０１４０】
[0157]ブロック１５４０において、ＵＥ１１５は、図２〜図６を参照しながら上記で説明したように、スリープ起動タイマーを開始することに少なくとも部分的に基づいて、電力節約モードに入り得る。いくつかの例では、ブロック１５４０の動作は、図９を参照しながら上記で説明したように電力節約モジュール９４０によって実行され得る。
【０１４１】
[0158]ブロック１５４５において、ＵＥ１１５は、図２〜図６を参照しながら上記で説明したように、スリープ起動タイマーの満了時にデータチャネル送信を受信し得る。いくつかの例では、ブロック１５４５の動作は、図７を参照しながら上記で説明したように、受信機７０５によって実行され得る。
【０１４２】
[0159]図１６に、本開示の様々な態様による、セルラーＩｏＴシステムのためのチャネル構造のための方法１６００を示すフローチャートを示す。方法１６００の動作は、図１〜図１０を参照しながら説明したようにＵＥ１１５またはそれの構成要素によって実装され得る。たとえば、方法１６００の動作は、図７〜図１１を参照しながら説明したように通信管理モジュール７１０によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する機能態様を実行し得る。方法１６００はまた、図１１〜図１５の方法１１００、１２００、１３００、１４００、および１５００の態様を組み込み得る。
【０１４３】
[0160]ブロック１６０５において、ＵＥ１１５は、図２〜図６を参照しながら上記で説明したように、第１のセルの共通同期チャネル上で第１のセルから第１の同期信号を受信し、ここにおいて、第１の同期信号が、信号を受信することより前にＵＥに知られている波形である。いくつかの例では、ブロック１６０５の動作は、図８を参照しながら上記で説明したように同期モジュール８０５によって実行され得る。
【０１４４】
[0161]ブロック１６１０において、ＵＥ１１５は、図２〜図６を参照しながら上記で説明したように、第１の同期信号のシンボル時間を推定する。いくつかの例では、ブロック１６１０の動作は、図８を参照しながら上記で説明したように同期モジュール８０５によって実行され得る。
【０１４５】
[0162]ブロック１６１５において、ＵＥ１１５は、図２〜図６を参照しながら上記で説明したように、第１の同期信号の推定されたシンボル時間に基づいて、第１のセルのＰＢＣＨシンボル時間を決定する。いくつかの例では、ブロック１６１５の動作は、図８を参照しながら上記で説明したようにＰＢＣＨタイミングモジュール８１０によって実行され得る。
【０１４６】
[0163]ブロック１６２０において、ＵＥ１１５は、図２〜図６を参照しながら上記で説明したように、ＰＢＣＨシンボル時間に少なくとも部分的に基づいてＰＢＣＨ信号を受信する。ＰＢＣＨ信号は、ペイロードデータトラフィックを送信するための共有データトラフィックチャネルの時間および周波数リソース構成を指定する構成メッセージを備え得る。いくつかの例では、ブロック１６２０の動作は、図８を参照しながら上記で説明したようにＰＢＣＨタイミングモジュール８１０によって実行され得る。
【０１４７】
[0164]ブロック１６２５において、ＵＥ１１５は、図２〜図６を参照しながら上記で説明したように、受信されたＰＢＣＨ信号に基づいて第１のセルの物理レイヤＩＤを決定する。いくつかの例では、ブロック１６２５の動作は、図８を参照しながら上記で説明したようにセルＩＤモジュール８１５によって実行され得る。
【０１４８】
[0165]ブロック１６３５において、ＵＥ１１５は、図２〜図６を参照しながら上記で説明したように、ＵＥのＩＤと、共有データトラフィックチャネル上でのデータチャネル送信のための時間周波数リソースのインデックスとを指定する制御チャネル送信を受信する。制御チャネル送信は、制御チャネル送信のタイミングとデータチャネル送信のタイミングとの間の遅延を備え得る。いくつかの例では、ブロック１６３５の動作は、図９を参照しながら上記で説明したように送信リソースモジュール９２５によって実行され得る。
【０１４９】
[0166]ブロック１６４０において、ＵＥ１１５は、図２〜図６を参照しながら上記で説明したように、データチャネル送信のタイミングに基づいてスリープ起動タイマーを開始し得る。いくつかの例では、ブロック１６４０の動作は、図９を参照しながら上記で説明したように、スリープ起動タイマー９３５によって実行され得る。
【０１５０】
[0167]ブロック１６４５において、ＵＥ１１５は、図２〜図６を参照しながら上記で説明したように、スリープ起動タイマーを開始することに少なくとも部分的に基づいて、電力節約モードに入り得る。いくつかの例では、ブロック１６４５の動作は、図９を参照しながら上記で説明したように電力節約モジュール９４０によって実行され得る。
【０１５１】
[0168]ブロック１６５０において、ＵＥ１１５は、図２〜図６を参照しながら上記で説明したように、スリープ起動タイマーの満了時にデータチャネル送信を送信し得る。いくつかの例では、ブロック１６５０の動作は、図７を参照しながら上記で説明したように送信機７１５によって実行され得る。
【０１５２】
[0169]したがって、方法１１００、１２００、１３００、１４００、１５００、および１６００は、セルラーＩｏＴシステムのためのチャネル構造を与え得る。方法１１００、１２００、１３００、１４００、１５００、および１６００は可能な実装形態を表すこと、ならびに動作およびステップは、他の実施形態が可能であるように、並べ替えられるかまたは場合によっては変更され得ることに留意されたい。いくつかの例では、方法１１００、１２００、１３００、１４００、１５００、および１６００のうちの２つまたはそれ以上からの態様が組み合わせられ得る。
【０１５３】
[0170]添付の図面に関して上記に記載した詳細な説明は、例示的な実施形態について説明しており、実装され得るまたは特許請求の範囲内に入るすべての実施形態を表すとは限らない。この説明全体にわたって使用される「例示的」という用語は、「例、事例、または例示の働きをすること」を意味し、「好ましい」または「他の実施形態よりも有利な」を意味しない。詳細な説明は、説明する技法の理解を与えるための具体的な詳細を含む。ただし、これらの技法は、これらの具体的な詳細なしに実施され得る。いくつかの事例では、説明した実施形態の概念を不明瞭にすることを回避するために、よく知られている構造およびデバイスはブロック図の形式で示されている。
【０１５４】
[0171]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１５５】
[0172]本明細書の開示に関して説明した様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。
【０１５６】
[0173]本明細書で説明する機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実施形態は、本開示の範囲内および添付の特許請求の範囲内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、異なる物理ロケーションにおいて機能の部分が実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、［Ａ、Ｂ、またはＣのうちの少なくとも１つ］の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１５７】
[0174]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１５８】
[0175]本開示についての以上の説明は、当業者が本開示を作成または使用することができるように与えられたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
【０１５９】
[0176]本明細書で説明した技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunications system）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、上述のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に本願発明の当初の特許請求の範囲に記載された発明を付記する。
［Ｃ１］  ユーザ機器（ＵＥ）におけるワイヤレス通信の方法であって、
第１のセルの共通同期チャネル上で前記第１のセルから第１の同期信号を受信することと、ここにおいて、前記第１の同期信号が、前記第１の同期信号を受信することより前に前記ＵＥに知られている波形である、
前記第１の同期信号のシンボル時間を推定することと、
前記第１の同期信号の前記推定されたシンボル時間に基づいて、前記第１のセルの物理ブロードキャストチャネル（ＰＢＣＨ）シンボル時間を決定することと、
前記ＰＢＣＨシンボル時間に少なくとも部分的に基づいてＰＢＣＨ信号を受信することと、
前記受信されたＰＢＣＨ信号に基づいて前記第１のセルの物理レイヤ識別情報（ＩＤ）を決定することと
を備える、方法。
［Ｃ２］  前記ＰＢＣＨ信号に基づいて構成メッセージを識別することと、
前記受信された構成メッセージに基づいて、ランダムアクセス信号を前記第１のセルに送信することと、
前記第１のセルへの第１の接続を確立することと、
第２のセルの共通同期チャネル上で前記第２のセルから第２の同期信号を受信することと、前記第２のセルが前記第１のセルとは異なり、ここにおいて、前記第１の同期信号と前記第２の同期信号とが同じ波形を使用する、
前記第２の同期信号に基づいて前記第２のセルへの第２の接続を確立することと、
前記構成メッセージによって指定されたチャネル構造に基づいて、前記第１のセルまたは前記第２のセルとデータを交換することと
をさらに備える、Ｃ１に記載の方法。
［Ｃ３］  前記第１のセルおよび前記第２のセルが、前記知られている波形を共有するセルのセットの要素であり、ここにおいて、セルの前記セットからの各セルが、セルの前記セットからの別のセルとの重複カバレージエリアを有する、Ｃ２に記載の方法。
［Ｃ４］  前記第１の同期信号のキャリア周波数を推定することと、
前記第１の同期信号の前記推定されたキャリア周波数と前記ＵＥの局部発振器によって生成されたローカルキャリア周波数とを比較することと、
前記比較に応じてアップリンクキャリア周波数を生成することと、
前記生成されたアップリンクキャリア周波数をもつアップリンク信号を送信することとをさらに備える、Ｃ１に記載の方法。
［Ｃ５］  前記ＰＢＣＨ信号が、ペイロードデータトラフィックを送信するための共有データトラフィックチャネルの時間および周波数リソース構成を指定する構成メッセージを備え、
前記方法が、前記ＵＥのＩＤと、前記共有データトラフィックチャネル上でのデータチャネル送信のための時間周波数リソースのインデックスとを指定する制御チャネル送信を受信することをさらに備える、
Ｃ１に記載の方法。
［Ｃ６］  前記共有データトラフィックチャネルの前記時間周波数リソース上で前記データチャネル送信を受信すること
をさらに備える、Ｃ５に記載の方法。
［Ｃ７］  前記共有データトラフィックチャネルの前記時間周波数リソース上で前記データチャネル送信を送信すること
をさらに備える、Ｃ５に記載の方法。
［Ｃ８］  前記制御チャネル送信の送信電力が前記データチャネル送信の送信電力に比例する、Ｃ５に記載の方法。
［Ｃ９］  前記制御チャネル送信の前記送信電力が前記ＵＥの経路損失に基づく、Ｃ８に記載の方法。
［Ｃ１０］  前記制御チャネル送信が、前記制御チャネル送信のタイミングと前記データチャネル送信のタイミングとの間の遅延を備え、
前記方法が、前記データチャネル送信の前記タイミングに基づいてスリープ起動タイマーを開始することと、
前記スリープ起動タイマーを開始することに少なくとも部分的に基づいて電力節約モードに入ることと、
前記スリープ起動タイマーの満了時に前記データチャネル送信を受信することとをさらに備える、Ｃ５に記載の方法。
［Ｃ１１］  前記制御チャネル送信が、前記制御チャネル送信のタイミングと前記データチャネル送信のタイミングとの間の遅延を備え、
前記方法が、前記データチャネル送信の前記タイミングに基づいてスリープ起動タイマーを開始することと、
前記スリープ起動タイマーを開始することに少なくとも部分的に基づいて電力節約モードに入ることと、
前記スリープ起動タイマーの満了時に前記データチャネル送信を送信することとをさらに備える、Ｃ５に記載の方法。
［Ｃ１２］  フレキシブルチャネル構造のフレキシブル時間および周波数タイリングパターンに従って構成されたセグメントをもつチャネルのセットを使用してデータを交換することをさらに備える、Ｃ１に記載の方法。
［Ｃ１３］  前記フレキシブルチャネル構造が、所定のテーブルに基づく共有チャネルタイリングパターンの構成を備え、前記構成が、前記ＰＢＣＨ信号中で送信された前記構成メッセージによって指定される、Ｃ１２に記載の方法。
［Ｃ１４］  前記時間周波数リソースのインデックスが前記所定のテーブルのインデックスを示す、Ｃ１３に記載の方法。
［Ｃ１５］  前記ＰＢＣＨ信号の長さが、前記ＰＢＣＨ信号を受信することより前に固定され、前記ＵＥに知られている、Ｃ１に記載の方法。
［Ｃ１６］  マシンタイプ通信（ＭＴＣ）プロシージャに基づいてネットワークとデータを交換すること
をさらに備える、Ｃ１に記載の方法。
［Ｃ１７］  ユーザ機器（ＵＥ）におけるワイヤレス通信のための装置であって、
第１のセルの共通同期チャネル上で前記第１のセルから第１の同期信号を受信するための手段と、ここにおいて、前記第１の同期信号が、前記第１の同期信号を受信することより前に前記ＵＥに知られている波形である、
前記第１の同期信号のシンボル時間を推定するための手段と、
前記第１の同期信号の前記推定されたシンボル時間に基づいて、前記第１のセルの物理ブロードキャストチャネル（ＰＢＣＨ）シンボル時間を決定するための手段と、
前記ＰＢＣＨシンボル時間に少なくとも部分的に基づいてＰＢＣＨ信号を受信するための手段と、
前記受信されたＰＢＣＨ信号に基づいて前記第１のセルの物理レイヤ識別情報（ＩＤ）を決定するための手段と
を備える、装置。
［Ｃ１８］  前記ＰＢＣＨ信号に基づいて構成メッセージを識別するための手段と、
前記受信された構成メッセージに基づいて、ランダムアクセス信号を前記第１のセルに送信するための手段と、
前記第１のセルへの第１の接続を確立するための手段と、
第２のセルの共通同期チャネル上で前記第２のセルから第２の同期信号を受信するための手段と、前記第２のセルが前記第１のセルとは異なり、ここにおいて、前記第１の同期信号と前記第２の同期信号とが同じ波形を使用する、
前記第２の同期信号に基づいて前記第２のセルへの第２の接続を確立するための手段と、
前記構成メッセージによって指定されたチャネル構造に基づいて、前記第１のセルまたは前記第２のセルとデータを交換するための手段と
をさらに備える、Ｃ１７に記載の装置。
［Ｃ１９］  前記第１のセルおよび前記第２のセルが、前記知られている波形を共有するセルのセットの要素であり、ここにおいて、セルの前記セットからの各セルが、セルの前記セットからの別のセルとの重複カバレージエリアを有する、Ｃ１８に記載の装置。
［Ｃ２０］  前記第１の同期信号のキャリア周波数を推定するための手段と、
前記第１の同期信号の前記推定されたキャリア周波数と前記ＵＥの局部発振器によって生成されたローカルキャリア周波数とを比較するための手段と、
前記比較に応じてアップリンクキャリア周波数を生成するための手段と、
前記生成されたアップリンクキャリア周波数をもつアップリンク信号を送信するための手段と
をさらに備える、Ｃ１７に記載の装置。
［Ｃ２１］  前記ＰＢＣＨ信号が、ペイロードデータトラフィックを送信するための共有データトラフィックチャネルの時間および周波数リソース構成を指定する構成メッセージを備え、
前記装置が、前記ＵＥのＩＤと、前記共有データトラフィックチャネル上でのデータチャネル送信のための時間周波数リソースのインデックスとを指定する制御チャネル送信を受信するための手段をさらに備える、
Ｃ１７に記載の装置。
［Ｃ２２］  前記共有データトラフィックチャネルの前記時間周波数リソース上で前記データチャネル送信を受信するための手段
をさらに備える、Ｃ２１に記載の装置。
［Ｃ２３］  前記共有データトラフィックチャネルの前記時間周波数リソース上で前記データチャネル送信を送信するための手段
をさらに備える、Ｃ２１に記載の装置。
［Ｃ２４］  前記制御チャネル送信の送信電力が前記データチャネル送信の送信電力に比例する、Ｃ２１に記載の装置。
［Ｃ２５］  前記制御チャネル送信の前記送信電力が前記ＵＥの経路損失に基づく、Ｃ２４に記載の装置。
［Ｃ２６］  前記制御チャネル送信が、前記制御チャネル送信のタイミングと前記データチャネル送信のタイミングとの間の遅延を備え、
前記装置が、
前記データチャネル送信の前記タイミングに基づいてスリープ起動タイマーを開始するための手段と、
前記スリープ起動タイマーを開始することに少なくとも部分的に基づいて電力節約モードに入るための手段と、
前記スリープ起動タイマーの満了時に前記データチャネル送信を受信するための手段と
をさらに備える、Ｃ２１に記載の装置。
［Ｃ２７］  前記制御チャネル送信が、前記制御チャネル送信のタイミングと前記データチャネル送信のタイミングとの間の遅延を備え、
前記装置が、
前記データチャネル送信の前記タイミングに基づいてスリープ起動タイマーを開始するための手段と、
前記スリープ起動タイマーを開始することに少なくとも部分的に基づいて電力節約モードに入るための手段と、
前記スリープ起動タイマーの満了時に前記データチャネル送信を送信するための手段と
をさらに備える、Ｃ２１に記載の装置。
［Ｃ２８］  フレキシブルチャネル構造のフレキシブル時間および周波数タイリングパターンに従って構成されたセグメントをもつチャネルのセットを使用してデータを交換するための手段をさらに備える、Ｃ１７に記載の装置。
［Ｃ２９］  ユーザ機器（ＵＥ）におけるワイヤレス通信のための装置であって、
プロセッサと、
前記プロセッサと電子通信しているメモリと、
前記メモリに記憶された命令と
を備え、ここにおいて、前記命令は、
第１のセルの共通同期チャネル上で前記第１のセルから第１の同期信号を受信することと、ここにおいて、前記第１の同期信号が、前記第１の同期信号を受信することより前に前記ＵＥに知られている波形である、
前記第１の同期信号のシンボル時間を推定することと、
前記第１の同期信号の前記推定されたシンボル時間に基づいて、前記第１のセルの物理ブロードキャストチャネル（ＰＢＣＨ）シンボル時間を決定することと、
前記ＰＢＣＨシンボル時間に少なくとも部分的に基づいてＰＢＣＨ信号を受信することと、
前記受信されたＰＢＣＨ信号に基づいて前記第１のセルの物理レイヤ識別情報（ＩＤ）を決定することと
を行うために前記プロセッサによって実行可能である、装置。
［Ｃ３０］  ユーザ機器（ＵＥ）におけるワイヤレス通信のためのコードを記憶する非一時的コンピュータ可読媒体であって、前記コードは、
第１のセルの共通同期チャネル上で前記第１のセルから第１の同期信号を受信することと、ここにおいて、前記第１の同期信号が、前記第１の同期信号を受信することより前に前記ＵＥに知られている波形である、
前記第１の同期信号のシンボル時間を推定することと、
前記第１の同期信号の前記推定されたシンボル時間に基づいて、前記第１のセルの物理ブロードキャストチャネル（ＰＢＣＨ）シンボル時間を決定することと、
前記ＰＢＣＨシンボル時間に少なくとも部分的に基づいてＰＢＣＨ信号を受信することと、
前記受信されたＰＢＣＨ信号に基づいて前記第１のセルの物理レイヤ識別情報（ＩＤ）を決定することと
を行うために実行可能な命令を備える、非一時的コンピュータ可読媒体。
【図１】
0006602857.tif 000002
【図２】
0006602857.tif 000003
【図３Ａ】
0006602857.tif 000004
【図３Ｂ】
0006602857.tif 000005
【図４】
0006602857.tif 000006
【図５】
0006602857.tif 000007
【図６】
0006602857.tif 000008
【図７】
0006602857.tif 000009
【図８】
0006602857.tif 000010
【図９】
0006602857.tif 000011
【図１０】
0006602857.tif 000012
【図１１】
0006602857.tif 000013
【図１２】
0006602857.tif 000014
【図１３】
0006602857.tif 000015
【図１４】
0006602857.tif 000016
【図１５】
0006602857.tif 000017
【図１６】
0006602857.tif 000018